(57)【特許請求の範囲】
【請求項１】
透析機械と透析機械アクセサリデバイスとの間にワイヤレス接続を確立することを備える方法であって、前記透析機械（１０２、１０２ａ−ｃ）および前記透析機械アクセサリデバイス（１０１、１０１ａ−ｄ、３５０ａ−ｂ）はネットワーク（３６０）に接続され、前記透析機械（１０２、１０２ａ−ｃ）および前記透析機械アクセサリデバイス（１０１、１０１ａ−ｄ、３５０ａ−ｂ）は、各々、前記透析機械（１０２、１０２ａ−ｃ）および前記透析機械アクセサリデバイス（１０１、１０１ａ−ｄ、３５０ａ−ｂ）の使用をそれぞれ反映するワイヤレス識別子（３１７、３１７ａ−ｃ）とラベル（３１９、３１９ａ−ｃ）とを有し、
前記確立することは、
前記透析機械によって、近距離無線通信（ＮＦＣ）プロトコルを介して、前記透析機械アクセサリデバイスに一意的な前記ワイヤレス識別子および前記透析機械アクセサリデバイス（１０１、１０１ａ−ｄ、３５０ａ−ｂ）の前記ラベル（３１９、３１９ａ−ｃ）を受信することと、ここにおいて、前記透析機械と前記透析機械アクセサリデバイスが互いに接近していると検出した結果として、前記透析機械は、前記透析機械アクセサリデバイス（１０１、１０１ａ−ｄ、３５０ａ−ｂ）の前記ワイヤレス識別子および前記ラベル（３１９、３１９ａ−ｃ）を受信し、
前記透析機械によって、前記ＮＦＣプロトコル以外の通信プロトコルを使用して、前記透析機械アクセサリデバイス（１０１、１０１ａ−ｄ、３５０ａ−ｂ）の前記ワイヤレス識別子に基づいて前記透析機械アクセサリデバイスとのワイヤレス接続を確立することと、を備え、
ここにおいて、前記透析機械アクセサリデバイスは、前記ワイヤレス接続を使用して、前記透析機械の機能を制御し、データを前記透析機械に送達するための許可を付与され、前記透析機械（１０２、１０２ａ−ｃ）は、前記ワイヤレスネットワーク（３６０）のノードとして前記透析機械（１０２、１０２ａ−ｃ）および前記透析機械アクセサリデバイス（１０１、１０１ａ−ｄ、３５０ａ−ｂ）の前記ワイヤレス識別子（３１７、３１７ａ−ｃ）を使用し、前記透析機械（１０２、１０２ａ−ｃ）および前記透析機械アクセサリデバイス（１０１、１０１ａ−ｄ、３５０ａ−ｂ）の前記ラベル（３１９、３１９ａ−ｃ）は、前記ワイヤレス接続のタイプを決定する、
方法。
【請求項２】
接続デバイスによって、前記ＮＦＣプロトコルを介して、前記透析機械アクセサリデバイス（１０１、１０１ａ−ｄ、３５０ａ−ｂ）の前記ワイヤレス識別子を前記透析機械アクセサリデバイスから受信することと、
前記接続デバイスによって、前記ＮＦＣプロトコルを介して、前記透析機械アクセサリデバイス（１０１、１０１ａ−ｄ、３５０ａ−ｂ）の前記ワイヤレス識別子（３１７、３１７ａ−ｃ）を前記透析機械に対して提供することと、をさらに備える、請求項１に記載の方法。
【請求項３】
前記接続デバイスは、ワンドである、請求項２に記載の方法。
【請求項４】
前記接続デバイスは、スマートフォンである、請求項２に記載の方法。
【請求項５】
前記透析機械アクセサリデバイスによって、前記ＮＦＣプロトコルを介して、前記透析機械に関連する接続情報を受信することをさらに備える、請求項１に記載の方法。
【請求項６】
前記透析機械から、前記透析機械アクセサリデバイスとの前記ワイヤレス接続を確立する要求を送ることをさらに備える、請求項１に記載の方法。
【請求項７】
前記透析機械および前記透析機械アクセサリデバイスは、前記透析機械および前記透析機械アクセサリデバイスが前記ＮＦＣプロトコルを介して通信するのに十分に近くにあるような十分な距離に、互いに対して配置されている、請求項１に記載の方法。
【請求項８】
前記透析機械は、前記透析機械および前記透析機械アクセサリデバイスが互いに対する物理的接触を生じた結果として、前記透析機械アクセサリデバイスから前記ワイヤレス識別子を受信する、請求項１に記載の方法。
【請求項９】
前記透析機械および前記透析機械アクセサリデバイスのうちの少なくとも一方は、前記物理的接触を検出するように構成されている加速度計を含む、請求項８に記載の方法。
【請求項１０】
前記透析機械および前記透析機械アクセサリデバイスは、それぞれ、ＮＦＣを介して通信するように構成されているコンポーネントを含む、請求項１に記載の方法。
【請求項１１】
前記コンポーネントは、インダクタを含む、請求項１０に記載の方法。
【請求項１２】
前記透析機械は、前記透析機械アクセサリデバイスから電気的に隔離されている、請求項１に記載の方法。
【請求項１３】
前記透析機械アクセサリデバイスは、血圧カフを備える、請求項１に記載の方法。
【請求項１４】
前記ワイヤレス接続は、Ｂｌｕｅｔｏｏｔｈ接続を備える、請求項１に記載の方法。
【請求項１５】
透析機械と透析機械アクセサリデバイスとの間にワイヤレス接続を確立することであって、前記透析機械（１０２、１０２ａ−ｃ）および前記透析機械アクセサリデバイス（１０１、１０１ａ−ｄ、３５０ａ−ｂ）はネットワーク（３６０）に接続され、前記透析機械（１０２、１０２ａ−ｃ）および前記透析機械アクセサリデバイス（１０１、１０１ａ−ｄ、３５０ａ−ｂ）は、各々、前記透析機械（１０２、１０２ａ−ｃ）および前記透析機械アクセサリデバイス（１０１、１０１ａ−ｄ、３５０ａ−ｂ）の使用をそれぞれ反映するワイヤレス識別子（３１７、３１７ａ−ｃ）とラベル（３１９、３１９ａ−ｃ）とを有し、
前記透析機械によって、前記透析機械アクセサリデバイスに関係付けられている前記ワイヤレス識別子および前記透析機械アクセサリデバイス（１０１、１０１ａ−ｄ、３５０ａ−ｂ）の前記ラベル（３１９、３１９ａ−ｃ）を受信することと、ここにおいて、前記透析機械アクセサリデバイス（１０１、１０１ａ−ｄ、３５０ａ−ｂ）の前記ワイヤレス識別子および前記ラベル（３１９、３１９ａ−ｃ）は、第１のワイヤレス通信プロトコルに従って接続デバイスによって通信され、前記ワイヤレス識別子は、前記第１のワイヤレス通信プロトコル以外の第２のワイヤレス通信プロトコルに関係付けられ、
前記透析機械アクセサリデバイスに関係付けられている前記ワイヤレス識別子を使用して、前記透析機械および前記透析機械アクセサリデバイスによって、前記第２のワイヤレス通信プロトコルを使用してワイヤレス接続を確立することと、を備える、確立すること、ここにおいて、前記透析機械（１０２、１０２ａ−ｃ）は、前記ワイヤレスネットワーク（３６０）のノードとして前記透析機械（１０２、１０２ａ−ｃ）および前記透析機械アクセサリデバイス（１０１、１０１ａ−ｄ、３５０ａ−ｂ）の前記ワイヤレス識別子（３１７、３１７ａ−ｃ）を使用し、前記透析機械（１０２、１０２ａ−ｃ）および前記透析機械アクセサリデバイス（１０１、１０１ａ−ｄ、３５０ａ−ｂ）の前記ラベル（３１９、３１９ａ−ｃ）は、前記ワイヤレス接続のタイプを決定し、および、
前記第２のワイヤレス通信プロトコルを使用して前記透析機械と前記透析機械アクセサリデバイスとの間で医療データを通信することであって、前記透析機械アクセサリデバイスは、前記第２のワイヤレス通信プロトコルを使用して、前記透析機械の機能を制御し、データを前記透析機械に送達するための許可を付与される、通信すること、
を備える、方法。
【請求項１６】
透析機械および透析機械アクセサリデバイス（１０１、１０１ａ−ｄ、３５０ａ−ｂ）を備えるシステムであって、前記透析機械（１０２、１０２ａ−ｃ）および前記透析機械アクセサリデバイス（１０１、１０１ａ−ｄ、３５０ａ−ｂ）はネットワーク（３６０）に接続され、前記透析機械（１０２、１０２ａ−ｃ）および前記透析機械アクセサリデバイス（１０１、１０１ａ−ｄ、３５０ａ−ｂ）は、各々、前記透析機械（１０２、１０２ａ−ｃ）および前記透析機械アクセサリデバイス（１０１、１０１ａ−ｄ、３５０ａ−ｂ）の使用をそれぞれ反映するワイヤレス識別子（３１７、３１７ａ−ｃ）とラベル（３１９、３１９ａ−ｃ）とを有し、
前記透析機械（１０２、１０２ａ−ｃ）は、
ＮＦＣプロトコルを介して前記透析機械アクセサリデバイスに関連する前記ワイヤレス識別子および前記透析機械アクセサリデバイス（１０１、１０１ａ−ｄ、３５０ａ−ｂ）の前記ラベル（３１９、３１９ａ−ｃ）を受信するように構成されているＮＦＣアンテナと、
前記透析機械アクセサリデバイス（１０１、１０１ａ−ｄ、３５０ａ−ｂ）に関連する前記ワイヤレス識別子を使用して、前記ＮＦＣプロトコル以外の通信プロトコルを介して前記透析機械アクセサリデバイスとのワイヤレス接続を確立するように構成されているアンテナとを備え、
ここにおいて、前記透析機械アクセサリデバイスは、前記ワイヤレス接続を使用して、前記透析機械の機能を制御し、データを前記透析機械に送達するための許可を付与され、前記透析機械（１０２、１０２ａ−ｃ）は、前記ワイヤレスネットワーク（３６０）のノードとして前記透析機械（１０２、１０２ａ−ｃ）および前記透析機械アクセサリデバイス（１０１、１０１ａ−ｄ、３５０ａ−ｂ）の前記ワイヤレス識別子（３１７、３１７ａ−ｃ）を使用し、前記透析機械（１０２、１０２ａ−ｃ）および前記透析機械アクセサリデバイス（１０１、１０１ａ−ｄ、３５０ａ−ｂ）の前記ラベル（３１９、３１９ａ−ｃ）は、前記ワイヤレス接続のタイプを決定する、
システム。
【請求項１７】
透析機械と周辺デバイスとの間にワイヤレス接続を確立することを備える方法であって、前記透析機械（１０２、１０２ａ−ｃ）および前記周辺デバイスはネットワーク（３６０）に接続され、前記透析機械（１０２、１０２ａ−ｃ）および前記周辺デバイスは、各々、前記透析機械（１０２、１０２ａ−ｃ）および前記周辺デバイスの使用をそれぞれ反映するワイヤレス識別子（３１７、３１７ａ−ｃ）とラベル（３１９、３１９ａ−ｃ）とを有し、
前記確立することは、
前記透析機械によって、短距離ワイヤレス技術プロトコルを介して、前記周辺デバイスに関係付けられている前記ワイヤレス識別子および前記周辺デバイスの前記ラベル（３１９、３１９ａ−ｃ）を受信することと、ここにおいて、前記透析機械と前記周辺デバイスが前記短距離ワイヤレス技術プロトコルの通信範囲内に配置されていることを検出した結果として、前記透析機械は、前記周辺デバイスの前記ワイヤレス識別子および前記ラベル（３１９、３１９ａ−ｃ）を受信し、
前記透析機械によって、前記短距離ワイヤレス技術プロトコル以外の通信プロトコルを使用して、前記周辺デバイスの前記ワイヤレス識別子に基づいて前記周辺デバイスとのワイヤレス接続を確立することと、を備え、
ここにおいて、前記周辺デバイスは、前記ワイヤレス接続を使用して、前記透析機械の機能を制御し、データを前記透析機械に送達するための許可を付与され、前記透析機械（１０２、１０２ａ−ｃ）は、前記ワイヤレスネットワーク（３６０）のノードとして前記透析機械（１０２、１０２ａ−ｃ）および前記周辺デバイスの前記ワイヤレス識別子（３１７、３１７ａ−ｃ）を使用し、前記透析機械（１０２、１０２ａ−ｃ）および前記周辺デバイスの前記ラベル（３１９、３１９ａ−ｃ）は、前記ワイヤレス接続のタイプを決定する、
方法。
【請求項１８】
前記透析機械と前記周辺デバイスが互いにしきい値距離内であることを検出した結果として、前記透析機械は、前記周辺デバイスから前記ワイヤレス識別子を受信する、請求項１７に記載の方法。
【請求項１９】
接続デバイスによって、前記短距離ワイヤレス技術プロトコルを介して、前記周辺デバイスの前記ワイヤレス識別子を前記周辺デバイスから受信することと、
前記接続デバイスによって、前記短距離ワイヤレス技術プロトコルを介して、前記周辺デバイスの前記ワイヤレス識別子を前記透析機械に対して提供することとを備える、請求項１７に記載の方法。
【請求項２０】
前記接続デバイスは、ワンドである、請求項１９に記載の方法。
【請求項２１】
前記接続デバイスは、スマートフォンである、請求項１９に記載の方法。
【請求項２２】
前記接続デバイスは、前記ワイヤレス識別子を、前記ワイヤレス接続が形成されるワイヤレスネットワークのサーバに提供する、請求項１９に記載の方法。
【請求項２３】
前記周辺デバイスによって、前記短距離ワイヤレス技術プロトコルを介して、前記透析機械に関連する接続情報を受信することを備える、請求項１７に記載の方法。
【請求項２４】
前記透析機械から、前記周辺デバイスとの前記ワイヤレス接続を確立する要求を送ることを備える、請求項１７に記載の方法。
【請求項２５】
前記透析機械および前記周辺デバイスは、前記透析機械および前記周辺デバイスが前記短距離ワイヤレス技術プロトコルを介して通信できるような十分な距離に、互いに対して配置されている、請求項１７に記載の方法。
【請求項２６】
前記透析機械は、前記透析機械および前記周辺デバイスが互いに対する物理的接触を生じた結果として、前記周辺デバイスから前記ワイヤレス識別子を受信する、請求項１７に記載の方法。
【請求項２７】
前記透析機械および前記周辺デバイスのうちの一方または両方は、前記物理的接触を検出するように構成されている加速度計を含む、請求項２６に記載の方法。
【請求項２８】
前記短距離ワイヤレス技術プロトコルは、近距離無線通信（ＮＦＣ）プロトコルであり、前記透析機械および前記周辺デバイスはそれぞれ、ＮＦＣを介して通信するように構成されているコンポーネントを含む、請求項１７に記載の方法。
【請求項２９】
前記コンポーネントは、インダクタである、請求項２８に記載の方法。
【請求項３０】
前記ワイヤレス識別子は、前記周辺デバイスに一意である、請求項１７に記載の方法。
【請求項３１】
前記透析機械は、前記周辺デバイスから電気的に隔離されている、請求項１７に記載の方法。
【請求項３２】
前記ワイヤレス接続は、ＷＰＡ、ＷＰＡ２、および、ＷＥＰプロトコルのうちの１つ以上を使用する、請求項１７に記載の方法。
【請求項３３】
前記周辺デバイスは、血圧カフである、請求項１７に記載の方法。
【請求項３４】
前記周辺デバイスは、遠隔制御デバイスである、請求項１７に記載の方法。
【請求項３５】
前記周辺デバイスは、キーボードである、請求項１７に記載の方法。
【請求項３６】
前記周辺デバイスは、スマートフォンである、請求項１７に記載の方法。
【請求項３７】
前記短距離ワイヤレス技術プロトコルは、Ｂｌｕｅｔｏｏｔｈプロトコルである、請求項１７に記載の方法。
【請求項３８】
透析機械と周辺デバイスとの間にワイヤレス接続を確立することであって、前記透析機械（１０２、１０２ａ−ｃ）および前記周辺デバイスはネットワーク（３６０）に接続され、前記透析機械（１０２、１０２ａ−ｃ）および前記周辺デバイスは、各々、前記透析機械（１０２、１０２ａ−ｃ）および前記周辺デバイスの使用をそれぞれ反映するワイヤレス識別子（３１７、３１７ａ−ｃ）とラベル（３１９、３１９ａ−ｃ）とを有し、
前記透析機械によって、前記周辺デバイスに関係付けられている前記ワイヤレス識別子および前記周辺デバイスの前記ラベル（３１９、３１９ａ−ｃ）を受信することと、ここにおいて、前記周辺デバイスの前記ワイヤレス識別子および前記ラベル（３１９、３１９ａ−ｃ）は、第１のワイヤレス通信プロトコルに従って接続デバイスによって通信され、前記ワイヤレス識別子は、前記第１のワイヤレス通信プロトコル以外の第２のワイヤレス通信プロトコルに関係付けられており、
前記周辺デバイスに関係付けられている前記ワイヤレス識別子を使用して、前記透析機械および前記周辺デバイスによって、前記第２のワイヤレス通信プロトコルを使用してワイヤレス接続を確立することと、を備える、確立すること、ここにおいて、前記透析機械（１０２、１０２ａ−ｃ）は、前記ワイヤレスネットワーク（３６０）のノードとして前記透析機械（１０２、１０２ａ−ｃ）および前記周辺デバイスの前記ワイヤレス識別子（３１７、３１７ａ−ｃ）を使用し、前記透析機械（１０２、１０２ａ−ｃ）および前記周辺デバイスの前記ラベル（３１９、３１９ａ−ｃ）は、前記ワイヤレス接続のタイプを決定し、および、
前記第２のワイヤレス通信プロトコルを使用して、前記透析機械と前記周辺デバイスとの間で情報を通信すること、を備え、
ここにおいて、前記周辺デバイスは、前記第２のワイヤレス通信プロトコルを使用して、前記透析機械の機能を制御し、データを前記透析機械に送達するための許可を付与される、
方法。
【請求項３９】
前記透析機械と前記接続デバイスが前記第１のワイヤレス通信プロトコルの通信範囲内にあることを検出した結果として、前記透析機械は、前記接続デバイスから前記周辺デバイスの前記ワイヤレス識別子および前記ラベルを受信する、請求項３８に記載の方法。
【請求項４０】
前記透析機械は、前記透析機械および前記接続デバイスが互いに対する物理的接触を生じた結果として、前記接続デバイスから前記周辺デバイスの前記ワイヤレス識別子および前記ラベルを受信し、
前記透析機械および前記接続デバイスのうちの１つまたは両方は、前記物理的接触を検出するように構成されている加速度計を含む、請求項３８に記載の方法。
【請求項４１】
前記接続デバイスは、
前記第１のワイヤレス通信プロトコルを介して、前記周辺デバイスの前記ワイヤレス識別子を前記周辺デバイスから受信し、
前記第１のワイヤレス通信プロトコルを介して、前記周辺デバイスの前記ワイヤレス識別子を前記透析機械に対して提供するように構成されている、請求項３８に記載の方法。
【請求項４２】
前記接続デバイスは、ワンドまたはスマートフォンである、請求項４１に記載の方法。
【請求項４３】
前記周辺デバイスが、前記第１のワイヤレス通信プロトコルを介して、前記透析機械に関連する接続情報を受信するように構成されている、請求項３８に記載の方法。
【請求項４４】
前記第１のワイヤレス通信プロトコルは、近距離無線通信（ＮＦＣ）プロトコルまたはＢｌｕｅｔｏｏｔｈプロトコルである、請求項３８に記載の方法。
【請求項４５】
前記ワイヤレス識別子は、前記周辺デバイスに一意である、請求項３８に記載の方法。
【請求項４６】
前記周辺デバイスは、血圧カフ、遠隔制御デバイス、キーボード、または、スマートフォンである、請求項３８に記載の方法。
【請求項４７】
前記接続デバイスは、前記周辺デバイスの前記ワイヤレス識別子および前記ラベルを前記ワイヤレス接続が形成されるワイヤレスネットワークのサーバに提供する、請求項３８に記載の方法。
【請求項４８】
透析機械および周辺デバイスを備えるシステムであって、前記透析機械（１０２、１０２ａ−ｃ）および前記周辺デバイスはネットワーク（３６０）に接続され、前記透析機械（１０２、１０２ａ−ｃ）および前記周辺デバイスは、各々、前記透析機械（１０２、１０２ａ−ｃ）および前記周辺デバイスの使用をそれぞれ反映するワイヤレス識別子（３１７、３１７ａ−ｃ）とラベル（３１９、３１９ａ−ｃ）とを有し、
前記透析機械（１０２、１０２ａ−ｃ）は、
短距離ワイヤレス技術プロトコルを介して前記周辺デバイスに関連する前記ワイヤレス識別子および前記周辺デバイスの前記ラベル（３１９、３１９ａ−ｃ）を受信するように構成されている第１のアンテナと、
前記周辺デバイスに関連する前記ワイヤレス識別子を使用して、前記短距離ワイヤレス技術プロトコル以外の通信プロトコルを介して前記周辺デバイスとのワイヤレス接続を確立するように構成されている第２のアンテナと、を備え、
ここにおいて、前記周辺デバイスは、前記ワイヤレス接続を使用して、前記透析機械の機能を制御し、データを前記透析機械に送達するための許可を付与され、前記透析機械（１０２、１０２ａ−ｃ）は、前記ワイヤレスネットワーク（３６０）のノードとして前記透析機械（１０２、１０２ａ−ｃ）および前記周辺デバイスの前記ワイヤレス識別子（３１７、３１７ａ−ｃ）を使用し、前記透析機械（１０２、１０２ａ−ｃ）および前記周辺デバイスの前記ラベル（３１９、３１９ａ−ｃ）は、前記ワイヤレス接続のタイプを決定する、
システム。
【請求項４９】
前記透析機械と前記周辺デバイスが短距離ワイヤレス技術プロトコルの通信範囲内にあることを検出した結果として、前記第１のアンテナは、前記周辺デバイスから前記周辺デバイスの前記ワイヤレス識別子および前記ラベルを受信する、請求項４８に記載のシステム。
【請求項５０】
前記第１のアンテナは、前記透析機械および前記周辺デバイスが互いに対する物理的接触を生じた結果として、前記周辺デバイスから前記周辺デバイスの前記ワイヤレス識別子および前記ラベルを受信し、
前記透析機械および前記周辺デバイスのうちの１つまたは両方は、前記物理的接触を検出するように構成されている加速度計を含む、請求項４８に記載のシステム。
【請求項５１】
接続デバイスを備え、
前記接続デバイスは、
前記短距離ワイヤレス技術プロトコルを介して、前記周辺デバイスの前記ワイヤレス識別子を前記周辺デバイスから受信し、
前記短距離ワイヤレス技術プロトコルを介して、前記周辺デバイスの前記ワイヤレス識別子を前記第１のアンテナに対して提供するように構成されている、請求項４８に記載のシステム。
【請求項５２】
前記接続デバイスは、ワンドまたはスマートフォンである、請求項５１に記載のシステム。
【請求項５３】
前記接続デバイスは、前記周辺デバイスの前記ワイヤレス識別子および前記ラベルを、前記ワイヤレス接続が形成されるワイヤレスネットワークのサーバに提供する、請求項５１に記載のシステム。
【請求項５４】
前記システムは、前記周辺デバイスを備え、ここにおいて、前記周辺デバイスは、前記短距離ワイヤレス技術プロトコルを介して、前記透析機械に関連する接続情報を受信するように構成されている、請求項４８に記載のシステム。
【請求項５５】
前記短距離ワイヤレス技術プロトコルは、近距離無線通信（ＮＦＣ）プロトコルまたはＢｌｕｅｔｏｏｔｈプロトコルである、請求項４８に記載のシステム。
【請求項５６】
前記ワイヤレス識別子は、前記周辺デバイスに一意である、請求項４８に記載のシステム。
【請求項５７】
前記周辺デバイスは、血圧カフ、遠隔制御デバイス、または、キーボードである、請求項４８に記載のシステム。
【請求項５８】
前記周辺デバイスは、スマートフォンである、請求項４８に記載のシステム。
【発明の詳細な説明】
【技術分野】
【０００１】
本発明は、透析システムのためのワイヤレス通信に関する。
【背景技術】
【０００２】
腎機能障害または腎不全、および特に末期腎疾患は、水分およびミネラルを除去して有害な代謝産物を排出し、酸塩基平衡を維持して電解質およびミネラルの濃度を生理学的範囲内に制御する能力を体から失わせる。尿素、クレアチニン、および尿酸を含む有毒な尿毒症老廃代謝産物は、体の組織に蓄積する。腎臓の濾過機能が置換されない場合には、これによって、人の死がもたらされる恐れがある。
【０００３】
透析は、これらの老廃毒素および過剰な水分を除去することによって腎臓の機能を置換するために、一般に使用される。１つのタイプの透析処置である血液透析では、毒素は、血液透析機械により外部で患者の血液から濾過される。血液は、外部から供給される大量の透析溶液から半透膜によって分離されている透析器を通って患者から流れる。老廃物および毒素は、この半透膜を通して血液から透析溶液中へ透析され、この透析溶液は、その後、通常では廃棄される。
【０００４】
血液透析において使用される透析溶液または透析液は、通常では、塩化ナトリウムおよび他の電解質（塩化カルシウムまたは塩化カリウムなど）と、緩衝物質（重炭酸塩または酢酸塩など）と、生理学的ｐＨを確立するための酸と、任意選択でグルコースまたは別の浸透圧剤とを含有する。
【図面の簡単な説明】
【０００５】
【図１】血液透析システムの正面斜視図。
【図２Ａ】ワイヤレス接続を確立するために使用される、デバイスの通信システムを示す概略図。
【図２Ｂ】図２Ａの通信システムのメモリ記憶素子上に格納されるデータを示す概略図。
【図３Ａ】ホスト・デバイスとアクセサリ・デバイスとの間のワイヤレス接続を示す概略図。
【図３Ｂ】接続デバイスによって確立される図３Ａのワイヤレス接続を示す概略図。
【図４Ａ】診療所内の血液透析システムおよびアクセサリのネットワークを示す図。
【図４Ｂ】図４Ａに示すネットワーク内の接続を示すブロック図。
【図４Ｃ】デバイスおよびアクセサリが診療所内の様々な位置にある、図４Ａ〜図４Ｂのネットワークを示す概略図。
【図５】第１の医療デバイスを第２の医療デバイスに接続するプロセスの一例を示す流れ図。
【図６Ａ】接続デバイスを使用して第１の医療デバイスを第２の医療デバイスに接続するプロセスの一例を示す流れ図。
【図６Ｂ】接続デバイスを使用して第１の医療デバイスを第２の医療デバイスに接続するプロセスの一例を示す流れ図。
【図７】透析機械と透析機械アクセサリとの間にワイヤレス接続を確立する一例を示す流れ図。
【発明を実施するための形態】
【０００６】
１つの態様では、方法は、第１の医療デバイスと第２の医療デバイスとの間にワイヤレス接続を確立する工程を備える。ワイヤレス接続を確立する工程は、第１の医療デバイス
が、短距離ワイヤレス技術プロトコルを介して、第２の医療デバイスに関係する接続情報を受信する工程を含む。ワイヤレス接続を確立する工程は、また、第１の医療デバイスが、接続情報に基づいて第２の医療デバイスとのワイヤレス接続を確立する工程も含む。
【０００７】
実施態様は、以下の特徴のうちの１つまたは複数を含む可能性がある。
いくつかの実施態様では、ワイヤレス接続は、短距離ワイヤレス技術プロトコル以外の通信プロトコルを使用して確立される。接続情報は、短距離ワイヤレス技術プロトコル以外の通信プロトコルによって使用される情報を指定する。
【０００８】
いくつかの実施態様では、この方法は、また、接続デバイスが、短距離ワイヤレス技術プロトコルを介して、第２の医療デバイスに関係する接続情報を第２の医療デバイスから受信する工程も含む。この方法は、また、接続デバイスが、短距離ワイヤレス技術プロトコルを介して、第２の医療デバイスに関係する接続情報を第１の医療デバイスに対して提供する工程も含む。
【０００９】
いくつかの実施態様では、接続デバイスは、ワンドである。
いくつかの実施態様では、接続デバイスは、スマートフォンである。
いくつかの実施態様では、この方法は、また、第２の医療デバイスが、短距離ワイヤレス技術プロトコルを介して、第１の医療デバイスに関係する接続情報を受信する工程も含む。
【００１０】
いくつかの実施態様では、この方法は、また、第１の医療デバイスが、第２の医療デバイスとのワイヤレス接続を確立する要求を送る工程も含む。
いくつかの実施態様では、第１の医療デバイスおよび第２の医療デバイスは、第１の医療デバイスおよび第２の医療デバイスが短距離ワイヤレス技術プロトコルを介して通信するのに十分に近くにあるような十分な距離に、互いに対して配置されている。
【００１１】
いくつかの実施態様では、第１の医療デバイスは、第１の医療デバイスおよび第２の医療デバイスが互いに対する物理的接触を生じた結果として、第２の医療デバイスから接続情報を受信する。
【００１２】
いくつかの実施態様では、第１の医療デバイスおよび第２の医療デバイスのうちの少なくとも一方は、物理的接触を検出するように構成されている加速度計を備える。
いくつかの実施態様では、短距離ワイヤレス技術プロトコルは、近距離無線通信（ＮＦＣ）プロトコルである。第１の医療デバイスおよび第２の医療デバイスはそれぞれ、ＮＦＣを介して通信するように構成されているコンポーネントを備える。
【００１３】
いくつかの実施態様では、そのコンポーネントは、インダクタである。
いくつかの実施態様では、第２の医療デバイスに関係する接続情報は、ワイヤレス識別子を含む。
【００１４】
いくつかの実施態様では、ワイヤレス識別子は、デバイスに一意である。
いくつかの実施態様では、第１の医療デバイスは、第２の医療デバイスから電気的に隔離されている。
【００１５】
いくつかの実施態様では、第１の医療デバイスは、透析機械を含む。
いくつかの実施態様では、第２の医療デバイスは、透析機械と対話するように構成されているアクセサリを備える。
【００１６】
いくつかの実施態様では、第２の医療デバイスは、血圧カフを含む。
いくつかの実施態様では、ワイヤレス接続は、Ｂｌｕｅｔｏｏｔｈ（登録商標）接続を含む。
【００１７】
別の態様では、方法は、透析機械と透析機械アクセサリとの間にワイヤレス接続を確立する工程を含む。ワイヤレス接続を確立する工程は、透析機械が、透析機械アクセサリに関連付けられているワイヤレス識別子を受信する工程を含む。ワイヤレス識別子は、第１のワイヤレス通信プロトコルに従って接続デバイスによって通信される。ワイヤレス識別子は、第１のワイヤレス通信プロトコル以外の第２のワイヤレス通信プロトコルに関連付けられている。ワイヤレス接続を確立する工程は、また、透析機械アクセサリに関連付けられているワイヤレス識別子を使用して、透析機械および透析機械アクセサリが、第２のワイヤレス通信プロトコルを使用してワイヤレス接続を確立する工程も含む。この方法は、第２のワイヤレス通信プロトコルを使用して透析機械と透析機械アクセサリとの間で医療データを通信する工程も含む。
【００１８】
別の態様では、システムは、医療デバイスを含む。この医療デバイスは、短距離ワイヤレス技術プロトコルを介して医療デバイス・アクセサリに関係するワイヤレス識別子を受信するように構成されている短距離ワイヤレス技術プロトコル・アンテナを含む。この医療デバイスは、また、医療デバイス・アクセサリに関係するワイヤレス識別子を使用して、短距離ワイヤレス技術プロトコル以外の通信プロトコルを介して医療デバイス・アクセサリとのワイヤレス接続を確立するように構成されているアンテナも含む。
【００１９】
実施態様は、以下の利点のうちの１つまたは複数を含み得る。
いくつかの実施態様では、記載される方法は、ユーザが透析機械アクセサリを透析機械と容易にペアリングすることを可能にすることができる。透析処置を提供する診療所は、通常はいくつかの透析機械を有し、そのそれぞれが、いくつかの透析機械アクセサリを有する。これらのデバイス、すなわち機械およびアクセサリは、これらのアクセサリがこれらの機械とワイヤレス通信することができるように、ワイヤレス・ネットワークに対して接続されることが可能である。アクセサリが特定の機械と通信するために、そのアクセサリは、ワイヤレス・ネットワークを使用してその機械と仮想的に関連付けられることが可能である。アクセサリと透析機械とを仮想的に関連付けるためにアクセサリで透析機械を叩く物理的な動きは、操作者が、関連付けられたデバイスの物理的識別を、物理的、視覚的、および触覚的な方法で、容易に選択することができることを保証することができる。これらの方法は、また、接続情報を透析機械およびアクセサリに対して手動で入力する必要を減少させることにより、仮想的な関連付けを行う効率も向上させる。接続情報は、上述の叩く動きを使用して、容易に送信されることが可能である。本明細書に記載される方法は、さらに、電気的な影響を受けやすいデータを電気線を通して通信する必要を解消することによって、デバイスを互いに電気的に隔離することができる。
【００２０】
本発明の１つまたは複数の実施形態の詳細は、添付の図面および以下の説明に記載される。本発明のその他の特徴、目的、および利点は、この説明および図面、ならびに特許請求の範囲から、明らかになるであろう。
【００２１】
様々な図面で、同じ参照符号は同じ要素を示している。
医療デバイス（例えば透析機械、透析機械コンポーネント、透析機械アクセサリなど）は、デバイス間の接続を通して他の医療デバイスとワイヤレスに通信するように構成され得る。本明細書で述べるデバイス間に確立される「接続」は、２つ以上のデバイスの間でデータが通信されることが可能であるようなデバイス間の電子通信を指している。この接続は、データがネットワーク内の２つのノード間で移動することを可能にする単方向接続または双方向接続であってもよい。本明細書の「ノード」は、ネットワーク接続（例えば仮想接続）のメンバであり、上述のデバイスなど、対応する物理デバイスを表している。
デバイス間の基本接続は、接続されたデバイスが他のデバイスの識別を決定することを可能にする。デバイス間の接続は、上述の基本接続より多数の付与された許可を有することがある。このような接続は、本明細書では、「関連付け」と呼ばれる。例えば、デバイス間の関連付けでは、第２のデバイスが第１のデバイスのための入力として働くことができるように、第１のデバイスは、第２のデバイスに入力許可を付与することができる。いくつかのシステムでは、操作者が、それらのデバイスの一方または両方に対して接続情報（例えば一意なワイヤレス識別子）を手動で入力することによって、ワイヤレス関連付けを手動で確立することができる。ただし、一般に長くて直観的ではない数字の羅列を含む接続情報の入力は、操作者によっては紛らわしく煩わしいこともある。
【００２２】
いくつかの例では、ＷｉＦｉネットワークなどのワイヤレス・ネットワークの一部である２つ以上の医療デバイスが、近距離無線通信（ＮＦＣ）またはＢｌｕｅｔｏｏｔｈ（登録商標）などの短距離ワイヤレス技術プロトコルを使用して互いに接続情報を共有することができる。例えば、それぞれがＮＦＣトランシーバ（あるいは例えばＢｌｕｅｔｏｏｔｈ（登録商標）トランシーバ）とワイヤレス・トランシーバとを含む２つの医療デバイスが、それらのトランシーバを使用して互いに通信することができる。これらの医療デバイスは、いつ操作者がそれらの医療デバイスの間にワイヤレス接続を確立する意図を表すそれらの医療デバイスを用いたアクションを実行したかを決定することができるセンサ・システムおよび制御装置を備える。いくつかの実施態様では、複数の医療デバイスは、一緒に叩かれること、および／または、ＮＦＣトランシーバが互いの動作可能範囲内となるように、互いに対して近距離に配置されることが可能である。その後、それらの医療デバイスは、ＮＦＣプロトコルを通して、それらの一意なワイヤレス識別子を互いに共有することができる。それらの医療デバイスのうちの一方が他方の医療デバイスの接続情報を知れば、その２つの医療デバイスの間でワイヤレス関連付けが確立されることが可能である。
【００２３】
いくつかの例では、医療デバイスは、それらのデバイスを中央電源に対して接続する高電圧電力ケーブルを必要とする。これらの電力ケーブルは、それらの電圧が互いに干渉しないように遮蔽されることが可能である。ただし、物理的なデータ線では低電圧が利用されるので、電力ケーブルは、依然として物理的なデータ線によって搬送される信号と干渉する可能性がある。いくつかの例では、医療デバイスは、互いの間で情報を通信することができる。物理的なデータ線は、従来通りに使用されることが可能であるが、物理的なデータ線における通信信号の忠実度は、例えば電力ケーブルの高電圧によって容易に損なわれる可能性がある。したがって、物理的なデータ線を使用する医療デバイスは、互いに電気的に隔離されていない可能性がある。本明細書に記載するワイヤレス通信方法は、従来の物理的なデータ接続の必要を解消し、したがってデバイスどうしを互いに物理的に隔離する。
【００２４】
いくつかの例では、様々な医療デバイスの接続情報を他の医療デバイスと共有するために、ＮＦＣトランシーバを含む接続デバイスが使用されることが可能である。例えば、接続デバイスで第１の医療デバイスが叩かれ、かつ／または接続デバイスが第１の医療デバイスから十分な距離に配置されて、接続デバイスのＮＦＣトランシーバが、第１の医療デバイスのＮＦＣトランシーバと通信することができるようになり得る。接続デバイスは、ＮＦＣプロトコルを使用して、第１の医療デバイスの一意なワイヤレス識別子を受信することができる。その後、接続デバイスで第２の医療デバイスが叩かれ、かつ／または接続デバイスが第２の医療デバイスから十分な距離に配置されて、接続デバイスのＮＦＣトランシーバは、第１の医療デバイスの一意なワイヤレス識別子を第２の医療デバイスに対して提供することができるようになり得る。その後、ワイヤレス識別子を使用して、これらの医療デバイスは、互いにワイヤレス接続を確立することができる。いくつかの実施態様では、接続デバイスは、各デバイスから一意なワイヤレス識別子を受信し、それらのワイヤレス識別子をワイヤレス・ネットワークに対して直接通信することができる。その後、
ワイヤレス・ネットワークによって、第１の医療デバイスと第２の医療デバイスとの間に接続が確立されることができる。いくつかの例では、接続デバイスは、ワンドまたはスマートフォンである。
【００２５】
図１は、他の医療デバイスとワイヤレスに通信するように構成された血液透析システム１００を示す図である。血液透析システム１００は、血液回路を部分的に形成する使い捨て式血液コンポーネント・セット１０４に対して接続された血液透析機械１０２を含む。操作者は、外部ワイヤレス・キーボード１０１を使用して、血液透析システム１００の処置パラメータを管理および制御することができる。血液透析処置中に、操作者は、血液コンポーネント・セット１０４の動脈患者ライン１０６および静脈患者ライン１０８を患者に対して接続する。血液コンポーネント・セット１０４は、空気は通過させるが液体は通過させない自動封止ベント・アセンブリを含むエア・リリース・デバイス１１２を含む。その結果として、処置中に血液回路を通過する血液が空気を含有する場合には、エア・リリース・デバイス１１２が、その空気を大気に排出することになる。
【００２６】
血液コンポーネント・セット１０４は、血液透析機械１０２の前部に対して取り付けられたモジュール１３０に対して固定される。モジュール１３０は、血液回路を通して血液を循環させることができる血液ポンプ１３２を含む。モジュール１３０は、また、血液回路を通って流れる血液を監視することができる様々なその他の計器も含む。モジュール１３０はドアを備え、このドアは、図１に示すように閉じているときに、モジュール１３０の前面と協働して、血液コンポーネント・セット１０４を受けるようなサイズおよび形状とされた区画を形成する。このドアは、閉じた位置にあるときには、血液コンポーネント・セット１０４の特定の血液コンポーネントを、モジュール１３０の前面上に露出された対応する計器に対して押圧する。
【００２７】
操作者は、血液ポンプモジュール１３４を使用して、血液ポンプ１３２を操作する。血液ポンプモジュール１３４は、表示窓、始動／停止キー、アップキー、ダウンキー、レベル調整キー、および動脈圧ポートを含む。表示窓は、血液ポンプ動作中に血液流量設定を表示する。始動／停止キーは、血液ポンプ１３２を始動および停止する。アップキーおよびダウンキーは、血液ポンプ１３２の速度を増加および減少させる。レベル調整キーは、動脈ドリップチャンバ内の流体のレベルを上昇させる。
【００２８】
血液透析機械１０２は、さらに、透析器１１０と、様々なその他の透析液コンポーネントと、血液透析機械１０２に対して接続された透析液ラインとによって形成された透析液回路を含む。これらの透析液コンポーネントおよび透析液ラインの多くは、血液透析機械１０２の筐体１０３の内部にあり、したがって、図１では見えていない。処置中には、血液ポンプ１３２が、血液回路を通して血液を循環させ、透析液ポンプ（図示せず）が、透析液回路を通して透析液を循環させる。
【００２９】
透析液容器１２４は、透析液供給ライン１２６を介して血液透析機械１０２に対して接続される。ドレンライン１２８および限外濾過ライン１２９も、血液透析機械１０２から延びている。透析液供給ライン１２６、ドレンライン１２８、および限外濾過ライン１２９は、透析液回路の一部を形成する、血液透析機械１０２の筐体１０３の内部の様々な透析液コンポーネントおよび透析液ラインに対して流体接続される。血液透析中に、透析液供給ライン１２６は、透析液容器１２４から、血液透析機械１０２の内部に位置する透析液回路の部分に対して新鮮な透析液を運ぶ。上述のように、新鮮な透析液は、透析液回路を形成する、様々な透析液ラインと透析器１１０などの透析液コンポーネントとを通して循環される。後述するように、透析液が透析器１１０を通過するときに、透析液は、患者の血液から毒素を収集する。その結果得られる使用済み透析液は、透析液回路からドレンライン１２８を介してドレンまで運ばれる。処置中に限外濾過が実行されたときには、患
者から抜き出された使用済み透析液（後述）と過剰流体の組合せが、限外濾過ライン１２９を介してドレンまで運ばれる。
【００３０】
透析器１１０は、患者の血液のための濾過器として働く。透析液は、上述のように、血液と共に透析器１１０を通過する。透析器１１０内の半透性構造（例えば半透膜および／または半透性マイクロチューブ）が、透析器１１０を通過する血液と透析液とを分離する。この構成によって、透析液が患者の血液から毒素を収集することが可能になる。透析器１１０から出る濾過された血液は患者まで戻る。透析器１１０から出る透析液は、血液から取り除かれた毒素を含み、一般に「使用済み透析液」と呼ばれる。使用済み透析液は、透析器１１０からドレンまで送られる。
【００３１】
薬物ポンプ１９２も、血液透析機械１０２の前部から延びている。薬物ポンプ１９２は、血液コンポーネント・セット１０４のシリンジ１７８を保持するように構成された締め付け機構を含むシリンジ・ポンプである。薬物ポンプ１９２は、シリンジ１７８のプランジャをシリンジ１７８の軸に沿って移動させるように構成されたステッパ・モータも含む。ステッパ・モータのシャフトは、ステッパ・モータが第１の方向に動作したときにシャフトがプランジャをシリンジ内に押し込み、ステッパ・モータが第２の方向に動作したときにシャフトがプランジャをシリンジ１７８から引き出すように、プランジャに対して固定される。薬物ポンプ１９２は、したがって、使用中に液体薬物（例えばヘパリン）をシリンジ１７８から薬物送達ライン１７４を介して血液回路内へ注入する、または使用中に液体を血液回路からシリンジ１７８の中に薬物送達ライン１７４を介して抜き出すために使用されることが可能である。
【００３２】
血液透析機械１０２は、タッチ画面１１８と制御パネル１２０となどの入力デバイスを備えたユーザ・インタフェースを含む。タッチ画面１１８および制御パネル１２０は、操作者が、血液透析機械１０２に対して様々な異なる処置パラメータを入力し、またその他の形で血液透析機械１０２を制御することを可能にする。タッチ画面１１８は、血液透析システム１００の操作者に対して情報を表示する。タッチ画面１１８は、また、キーボード１０１などの周辺デバイスまたはアクセサリ・デバイスが血液透析機械１０２に対して接続されているかどうかを示すこともできる。キーボード１０１は、透析機械１０２内の通信システム１０７と直接的または間接的に通信することによって血液透析機械１０２に対して接続するワイヤレス・キーボードである。処置中に、キーボード１０１およびその他の周辺デバイスは、処置パラメータおよび変数を制御、監視、および決定するために使用されることが可能である。
【００３３】
図２Ａは、２つのデバイスの間にワイヤレス関連付けを確立するために使用され得る、デバイス２００の通信システム２０１を示すブロック図である。デバイス２００自体は、ワイヤレス関連付けによって接続されたデバイスのうちの１つとすることができる。このワイヤレス関連付けは、特に、例えばＷＰＡ、ＷＰＡ２、またはＷＥＰなどのワイヤレス・プロトコルを使用して形成され得る。あるいは、このデバイスは、２つの他のデバイスの間のワイヤレス関連付けの確立を容易にすることができる。デバイス２００は、ホスト・デバイス（例えば血液透析機械１０２）であることも、周辺デバイス（例えば図１のワイヤレス・キーボード１０１）であることも、あるいは接続デバイス（その機能については、以下でさらに詳細に説明する）であることもある。
【００３４】
デバイス２００の制御装置３０７は、通信システム２０１にアクセスしてこれを制御し、通信システム２０１は、ワイヤレス・トランシーバ３０３、ＮＦＣトランシーバ３０５、ユーザ・インタフェース３０８、およびメモリ記憶素子３０９を含む。ワイヤレス・トランシーバ３０３は、デバイス２００をワイヤレス・ネットワーク（図示せず）に対して接続して、ワイヤレス接続を使用してデータを送信および受信するアンテナである。デバ
イス２００のＮＦＣトランシーバ３０５は、ＮＦＣ接続を使用してデータを送信および受信するアンテナである。いくつかの例では、このアンテナは、２つのＮＦＣトランシーバが互いの範囲内に配置されたときに、それらのトランシーバの間の距離に反比例する電磁力を生成する変圧器を形成するように、インダクタを形成するか、またはそうしたインダクタを含む。制御装置３０７は、通信システム２０１におけるデータの送信および受信を管理し、また、ワイヤレス・トランシーバおよび／またはＮＦＣトランシーバ３０５から受け取るデータをメモリ記憶素子３０９に記憶する。制御装置３０７は、さらに、メモリ記憶素子３０９からデータを取り出して、ワイヤレス・トランシーバ３０３および／またはＮＦＣトランシーバ３０５を使用して送信する。制御装置３０７は、メモリ記憶素子３０９に記憶されたサブルーチン（以下でさらに詳細に説明する）を実行する。ユーザ・インタフェース３０８は、通信関係情報を表示し、かつ／または操作者がデータを入力することを可能にする。例えば、ユーザ・インタフェース３０８は、デバイス２００がワイヤレス関連付けを有する相手であるデバイス、および／またはデバイス２００に入力許可を付与したデバイスを示すことができる。操作者は、さらに、ユーザ・インタフェース３０８を使用して、接続要求を受け入れる、または後述するサブルーチン３３０のデフォルト設定を設定することができる。この例では、デバイス２００は、センサ・システム３１５を含む。デバイス２００のセンサ・システム３１５は、例えば、このデバイスの動きに関係する情報を収集する加速度計を含む。
【００３５】
図２Ｂは、デバイス２００の例示的なメモリ記憶素子３０９に記憶されるデータの例を概略的に示す図である。メモリ記憶素子３０９は、デバイス２００を分類してデバイス２００を一意に識別する接続情報３２１を記憶することができる。接続情報３２１は、識別子３１７およびラベル３１９を含む。識別子３１７は、例えばＷｉＦｉネットワークなどのワイヤレス・ネットワーク上のデバイスの一意な識別を表す。ラベル３１９は、そのデバイスのタイプまたはクラスを決定する。そのラベルは、ＨＯＳＴ、ＰＥＲＩＰＨＥＲＡＬ、またはＣＯＮＮＥＣＴＯＲである可能性がある。後述するように、識別子３１７は、ワイヤレス・プロトコルを使用して接続されたデバイスを決定するために使用されることが可能であり、それらのラベルは、接続の特徴を決定するために使用されることが可能である。
【００３６】
メモリ記憶素子３０９は、さらに、ワイヤレス関連付け（例えば後述する図３Ａ〜図３Ｂのワイヤレス関連付け３１０）を確立するために制御装置３０７によって実行される可能性があるサブルーチン３３０を含む。これらのサブルーチン３３０は、タップ・トゥ・アソシエイト・サブルーチン３１１、発見サブルーチン３１２、ペアリング・サブルーチン３１３、および関連付けサブルーチン３１４を含む。
【００３７】
タップ・トゥ・アソシエイト・サブルーチン３１１は、ユーザが、やはりタップ・トゥ・アソシエイト・サブルーチン３１１を実行している第２のデバイスをデバイス２００で叩くことによって、それらのデバイスどうしをペアリングし、関連付けることを可能にする。デバイス２００のデフォルト設定は、タップ・トゥ・アソシエイト・サブルーチン３１１がデフォルトで自動的に実行するように設定されている。この例では、制御装置３０７がタップ・トゥ・アソシエイト・サブルーチン３１１を実行しているときには、制御装置３０７は、デバイスの動きに関係する情報をセンサ・システム３１５から受信することができる。タップ・トゥ・アソシエイト・サブルーチン３１１は、制御装置３０７に、その動きがしきい値を超えるまで、その動きの情報を継続的に受信させることができる。その動きがしきい値を超えると、タップ・トゥ・アソシエイト・サブルーチン３１１は、発見サブルーチン３１２およびペアリング・サブルーチン３１３を順次実行することができる。
【００３８】
発見サブルーチン３１２は、ＮＦＣトランシーバ３０５の機能をイネーブルにして、デ
バイス２００がイネーブルとされたＮＦＣトランシーバを有する他のデバイスと通信することができるようにする。特に、制御装置３０７は、発見サブルーチン３１２を実行して、ＮＦＣトランシーバ３０５を仮想的に発見可能な状態にして、付近の他のＮＦＣトランシーバがデバイス２００のＮＦＣトランシーバ３０５を検出（または発見）することができるようにする。（発見可能な状態のＮＦＣトランシーバを備えたデバイスは、本明細書では、「発見可能デバイス」とも呼ばれる。）発見可能デバイス２００のＮＦＣトランシーバ３０５は、例えばＮＦＣサーバ・ソケットを作成することによって、他の発見可能デバイスがないかリッスンすることができる。発見ルーチン３１２は、上述のように、タップ・トゥ・アソシエイト・サブルーチン３１１がトリガされた後で開始される。
【００３９】
ペアリング・サブルーチン３１３は、ＮＦＣトランシーバを使用して２つのデバイスを接続して、それらのデバイスが互いに接続情報を共有することができるようにすることができる。特に、発見サブルーチン３１２およびＮＦＣトランシーバ３０５が第２のデバイスを発見した後で、制御装置は、ペアリング・サブルーチン３１３を実行して、ＮＦＣトランシーバ３０５を使用して第２のデバイスとペアリングすることができる。ペアリング・サブルーチン３１３によって選択される第２のデバイスは、例えば、デバイス２００に対して最も近傍にある発見可能デバイスである。第２のデバイスとのペアリングを開始すると、ＮＦＣサーバ・ソケットは、第２のデバイスのＮＦＣソケットを戻し、それによりＮＦＣ接続を形成してデバイス２００を第２のデバイスとペアリングすることができる。このＮＦＣ接続を使用して、デバイス２００は、第２のデバイスの識別子およびラベルを取り出し、記憶する。ペアリング・サブルーチンは、また、デバイス２００に、ＮＦＣ接続を使用してそれ自体の識別子３１７およびラベル３１９を第２のデバイスに対して送らせる。
【００４０】
関連付けサブルーチン３１４は、ワイヤレス関連付けを形成し、そのワイヤレス関連付けの特徴を決定する。ペアリング・サブルーチン３１３を完了した後で、デバイス２００は、関連付けサブルーチン３１４を開始する。関連付けサブルーチンは、２つのデバイスの識別子３１７およびラベル３１９を使用して、それらの２つのデバイスの間にワイヤレス関連付けを形成する。それらの識別子は、そのワイヤレス関連付けが接続する２つのノードを決定し、それらのラベルは、それらのノードの間のワイヤレス関連付けのタイプを決定する。ペアリング・サブルーチン３１３から取り出された識別子は、２つのノードのうちの一方を決定するために使用される。
【００４１】
関連付けサブルーチン３１４が第２のノードを決定するために使用する識別子は、デバイス２００のラベル３１９に応じて決まる。デバイス２００がＨＯＳＴまたはＰＥＲＩＰＨＥＲＡＬラベルを有する場合には、関連付けサブルーチン３１４は、第２のノードを定義するために、そのデバイス自体の識別子３１７を使用する。このとき形成されるワイヤレス関連付けのタイプは、第２のデバイスのラベルとデバイス２００のラベルとに応じて決まる。このような実施態様の一例については、図３Ａを参照して後述する。
【００４２】
デバイス２００がＣＯＮＮＥＣＴＯＲラベルを有する場合には、デバイス２００は、それ自体の識別子３１７を第２のノードとして使用しない。その代わりに、操作者は、デバイス２００を（例えばタップ・トゥ・アソシエイト・サブルーチン３１１を介して）第３のデバイスとペアリングさせ、第２のノードのための識別子を取り出す。第２のデバイスのラベルと第３のデバイスのラベルとによって、それら２つのデバイスの間に形成されるワイヤレス関連付けのタイプが決定される。このような実施態様の一例については、図３Ｂを参照して後述する。
【００４３】
関連付けサブルーチンの入力についての上述の２つの条件の結果として、関連付けサブルーチン３１４は、ＰＥＲＩＰＨＥＲＡＬラベルまたはＨＯＳＴラベルを備えるデバイス
の間にワイヤレス関連付けを形成する。さらに、これらのデバイスの一方は、デバイス２００であることがある。一方のデバイスがＰＥＲＩＰＨＥＲＡＬデバイスであり、他方のデバイスがＨＯＳＴデバイスであるときには、これら２つのデバイスは、例えばＨＯＳＴデバイスが、ＨＯＳＴデバイスのための入力デバイスとして働く許可をＰＥＲＩＰＨＥＲＡＬデバイスに付与するように、関連付けを形成する。ＰＥＲＩＰＨＥＲＡＬデバイスは、こうして、ＨＯＳＴデバイスの機能を制御することができ、かつ／またはデータをＨＯＳＴデバイスに対して送達することができる。２つのＰＥＲＩＰＨＥＲＡＬデバイスまたは２つのＨＯＳＴデバイスが関連付けサブルーチン３１４を使用して接続されているときには、関連付けサブルーチン３１４は、操作者に対して、どのデバイスが入力デバイスとして働き、どのデバイスが入力受信デバイスとして働くかを示すように促すことがある。
【００４４】
使用法
図３Ａ〜図３Ｂは、ホスト・デバイス２０１と周辺デバイス２０２との間に確立されたワイヤレス関連付け３１０の一例を示す図である。この例では、ホスト・デバイス２０１は、血液透析機械であり、周辺デバイス２０２は、キーボードである。図３Ａを参照すると、ホスト・デバイス２０１と周辺デバイス２０２とが直接ペアリングされて、ワイヤレス関連付け３１０を形成している。図３Ｂを参照すると、接続デバイス２０３が、ホスト・デバイス２０１と周辺デバイス２０２との間にワイヤレス関連付け３１０を確立するのを助けている。ワイヤレス関連付け３１０は、周辺デバイス２０２が、周辺デバイス２０２を通して入力されたデータを通して処置パラメータを制御することを可能にすることができる。操作者は、ワイヤレス関連付け３１０を通してホスト・デバイス２０１に対して送られる処置命令を周辺デバイス２０２に対して入力することによって、ホスト・デバイス２０１上で設定された処置パラメータを修正することができる。
【００４５】
ワイヤレス関連付けは、以下の方法を使用して確立されることが可能である。（ｉ）ホスト・デバイス２０１と周辺デバイス２０２とが互いに直接ペアリングして、ワイヤレス関連付けを形成する（図３Ａに示す）か、あるいは（ｉｉ）接続デバイス２０３がホスト・デバイス２０１および周辺デバイス２０２のそれぞれと通信し、次いでホスト・デバイス２０１と周辺デバイス２０２との間にワイヤレス関連付け３１０が確立されるようにする（図３Ｂに示す）。これらの両方法については、以下で詳細に説明する。デバイス２０１、２０２、２０３は、図２Ａ〜図２Ｂを参照して説明した通信システムを含む。図３Ａを参照すると、ＨＯＳＴラベル３１９ａおよび一意な識別子３１７ａを有するホスト・デバイス２０１と、ＰＥＲＩＰＨＥＲＡＬラベル３１９ｂおよび一意な識別子３１７ｂを有する周辺デバイス２０２とが直接ペアリングされて、ワイヤレス関連付け３１０を形成している。図３Ｂでは、ＣＯＮＮＥＣＴＯＲラベル３１９ｃと一意な識別子３１７ｃとを有する接続デバイス２０３が、ホスト・デバイス２０１と周辺デバイス２０２との間にワイヤレス関連付け３１０を確立するのを助けている。接続デバイス２０３は、接続デバイスについて上述した特徴を含むワンドとすることができる。
【００４６】
図３Ａは、ホスト・デバイス２０１を周辺デバイス２０２に関連付けしてワイヤレス関連付け３１０を形成する一例を示す図である。操作者は、ＮＦＣ接続３０４を使用して、ホスト・デバイス２０１を周辺デバイス２０２と直接ペアリングする。
【００４７】
操作者は、周辺デバイス２０２をホスト・デバイス２０１の近傍内（例えばホスト・デバイス２０１のＮＦＣトランシーバのＮＦＣ範囲内）に持ち込む。いくつかの実施態様では、周辺デバイス２０２で、ホスト・デバイス２０１が叩かれることがある。この叩くジェスチャは、周辺デバイス２０２のタップ・トゥ・アソシエイト・サブルーチン３１１をトリガする周辺デバイス２０２の特定の動きサインを生成することができる。この叩くジェスチャは、また、ホスト・デバイス２０１のタップ・トゥ・アソシエイト・サブルーチン３１１をトリガすることができるホスト・デバイス２０１の特定の動きサインも生成す
ることができる。その結果として、ホスト・デバイス２０１および周辺デバイス２０２は、それぞれの発見サブルーチン３１２を開始することができ、発見可能状態になることができる。
【００４８】
次いで、ペアリング・サブルーチン３１３が開始され、周辺デバイス２０２を、発見可能ＮＦＣトランシーバを備えたデバイスとペアリングさせることができる。複数のデバイスが発見可能状態であるときなど、いくつかの実施態様では、周辺デバイス２０２は、周辺デバイス２０２に対して最も近傍にあるデバイスとペアリングすることがある。デバイス２０１、２０２は、通常、操作者が周辺デバイス２０２でホスト・デバイス２０１を叩くときに、互いに物理的に近くにある。その結果として、周辺デバイス２０２は、ホスト・デバイス２０１とペアリングすることができる。
【００４９】
ＮＦＣ接続３０４が確立されると、周辺デバイス２０２は、次いで、ＮＦＣ接続３０４を通してホスト・デバイス２０１のＨＯＳＴラベル３１９ａおよび識別子３１７ａを取り出すことができる。周辺デバイス２０２は、また、ＮＦＣ接続３０４を使用して、周辺デバイス２０２のＰＥＲＩＰＨＥＲＡＬラベル３１９ｂおよび識別子３１７ｂをホスト・デバイス２０１に対して送ることもできる。
【００５０】
ペアリング・サブルーチンが完了した後で、周辺デバイス２０２は、次いで、関連付けサブルーチン３１４を開始して、形成されたワイヤレス関連付けのタイプとワイヤレス関連付けによって接続されたノードとを決定する。いくつかの実施態様では、関連付けサブルーチン３１４は、周辺デバイス２０２に記憶された識別子３１７ａを、そのワイヤレス関連付けの２つのノードのうちの第１のノードとして識別する。関連付けサブルーチン３１４は、さらに、識別子３１７ｂ、すなわち周辺デバイス２０２の識別子を、そのワイヤレス関連付けの第２のノードとして識別することができる。識別子３１７ｂは、ＰＥＲＩＰＨＥＲＡＬラベル３１９ｂに関連付けられ、識別子３１７ａは、ＨＯＳＴラベル３１９ａに関連付けられる。その結果として、関連付けサブルーチン３１４は、周辺デバイス２０２を、ホスト・デバイス２０１のための入力デバイスであると設定することができる。換言すれば、関連付けサブルーチン３１４は、ホスト・デバイス２０１に対して、周辺デバイス２０２に入力許可を付与し、それによりワイヤレス関連付け３１０を形成するように命令することができる。
【００５１】
図３Ｂは、接続デバイス２０３を使用してホスト・デバイス２０１を周辺デバイス２０２に関連付けてワイヤレス関連付け３１０を形成する一例を示す図である。接続デバイス２０３は、２つのデバイスの間にワイヤレス関連付けを確立するために使用されることが可能である。一般に、接続デバイス２０３は、ＨＯＳＴラベルを備えたデバイス（例えばホスト・デバイス２０１）とＰＥＲＩＰＨＥＲＡＬラベルを備えたデバイス（例えば周辺デバイス２０２）との間にワイヤレス関連付けを確立することができる。接続デバイス２０３は、操作者が接続デバイス２０３の接続（例えばＮＦＣ、ＵＳＢ、またはＷｉＦｉ接続）と、接続デバイス２０３によって確立されるその後のワイヤレス関連付け（例えばワイヤレス関連付け３１０）とを管理するために使用する制御画面２０７（例えば図２Ａのユーザ・インタフェース）を含む。
【００５２】
全体的な概要として、図３Ｂを参照して以下で説明する例では、操作者は、最初にホスト・デバイス２０１を接続デバイス２０３とペアリングして、ＮＦＣ接続３０４ａを形成する。その操作者は、次いで、周辺デバイス２０２を接続デバイス２０３とペアリングして、ＮＦＣ接続３０４ｂを形成する。ラベル３１７ａ、３１７ｂおよび識別子３１９ａ、３１７ｂは、２つのペアリングを通して転送されて記憶され、接続デバイス２０３がホスト・デバイス２０１と周辺デバイス２０２との間にワイヤレス関連付け３１０を形成させるようにすることができる。これらのステップのそれぞれの詳細については、以下で詳細
に説明する。ワイヤレス関連付け３１０は、例えばワイヤレス・ネットワークの中央サーバによって、または接続デバイス２０３によって形成されることが可能である。
【００５３】
操作者は、接続デバイス２０３をホスト・デバイス２０１の近傍内（例えばホスト・デバイス２０１のＮＦＣトランシーバのＮＦＣ範囲内）に持ち込み、接続デバイス２０３でホスト・デバイス２０１を叩くことによって、ＮＦＣ接続３０４ａを形成することができる。この叩く動きは、接続デバイス２０３とホスト・デバイス２０１とのタップ・トゥ・アソシエイト・サブルーチンをトリガすることができ、それらを発見可能状態にすることができる。タップ・トゥ・アソシエイト・サブルーチンは、さらに、接続デバイス２０３にペアリング・サブルーチンを開始させることができ、このペアリング・サブルーチンが、接続デバイス２０３に対して、発見可能なＮＦＣトランシーバを備えた物理的に最も近いデバイスとペアリングするように命令することができる。操作者が接続デバイス２０３でホスト・デバイス２０１を叩いてタップ・トゥ・アソシエイト・サブルーチンを起動させたので、デバイス２０１、２０３は、物理的にも互いに最も近い。その結果として、接続デバイス２０３は、ホスト・デバイス２０１とペアリングすることができる。その結果として、ＮＦＣ接続３０４ａは、接続デバイス２０３とホスト・デバイス２０１とをペアリングする。接続デバイス２０３は、次いで、ＮＦＣ接続３０４ａを使用して、ホスト・デバイス２０１のＨＯＳＴラベル３１９ａおよび識別子３１７ａを取り出すことができる。接続デバイス２０３は、また、ＮＦＣ接続３０４ａを使用して、ＣＯＮＮＥＣＴＯＲラベル３１９ｃおよび識別子３１７ｃをホスト・デバイス２０１に対して送ることもできる。
【００５４】
ペアリング・サブルーチンが完了した後で、接続デバイス２０３は、関連付けサブルーチン３１４を開始することができる。接続デバイス２０３のラベル３１９ｃがＣＯＮＮＥＣＴＯＲであるので、関連付けサブルーチン３１４は、操作者に対して、その接続デバイスを別のデバイスとペアリングしてワイヤレス関連付けを完成させるように命令することができる。
【００５５】
操作者は、接続デバイス２０３を周辺デバイス２０２の近傍内（例えば周辺デバイス２０２のＮＦＣトランシーバのＮＦＣ範囲内）に持ち込み、接続デバイス２０３で周辺デバイス２０２を叩くことによって、ＮＦＣ接続３０４ａを形成することができる。この叩く動きは、接続デバイス２０３と周辺デバイス２０２とのタップ・トゥ・アソシエイト・サブルーチンをトリガすることができ、それらを発見可能状態にする。タップ・トゥ・アソシエイト・サブルーチンは、さらに、接続デバイス２０３にペアリング・サブルーチンを開始させることができ、このペアリング・サブルーチンが、接続デバイス２０３に対して、発見可能なＮＦＣトランシーバを備えた物理的に最も近いデバイスとペアリングするように命令することができる。操作者が接続デバイス２０３で周辺デバイス２０２を叩いてタップ・トゥ・アソシエイト・サブルーチンを起動させたので、デバイス２０２、２０３は、物理的にも互いに最も近い。その結果として、接続デバイス２０３は、ホスト・デバイス２０１とペアリングする。その結果として、ＮＦＣ接続３０４ｂは、接続デバイス２０３と周辺デバイス２０２とをペアリングする。接続デバイス２０３は、次いで、ＮＦＣ接続３０４ｂを使用して、周辺デバイス２０２のＰＥＲＩＰＨＥＲＡＬラベル３１９ｂおよび識別子３１７ｂを取り出すことができる。接続デバイス２０３は、また、ＮＦＣ接続３０４ｂを使用して、ＣＯＮＮＥＣＴＯＲラベル３１９ｃおよび識別子３１７ｃを周辺デバイス２０２に対して送ることもできる。
【００５６】
ペアリング・サブルーチンの２回目の反復が完了した後で、接続デバイス２０３は、関連付けサブルーチン３１４を開始して、ワイヤレス関連付けによって接続されたノードと、形成されたワイヤレス関連付けのタイプとを決定することができる。接続デバイス２０３のラベル３１９ｃがＣＯＮＮＥＣＴＯＲであるので、関連付けサブルーチン３１４は、
接続デバイス２０３に記憶された識別子３１７ａ、３１７ｂをワイヤレス関連付け３１０のノードとして識別することができる。識別子３１７ｂは、ＰＥＲＩＰＨＥＲＡＬラベル３１９ｂに関連付けられ、識別子３１７ａは、ＨＯＳＴラベル３１９ａに関連付けられる。その結果として、関連付けサブルーチン３１４は、周辺デバイス２０２を、ホスト・デバイス２０１のための入力デバイスであると設定することができる。換言すれば、関連付けサブルーチン３１４は、ホスト・デバイス２０１が周辺デバイス２０２に入力許可を付与するように、ワイヤレス関連付け３１０を形成することができる。
【００５７】
引き続き図３Ｂを参照して、接続デバイス２０３は、上記では関連付けサブルーチン３１４を実施してホスト・デバイス２０１と周辺デバイス２０２との間にワイヤレス関連付け３１０を形成するものとして説明したが、いくつかの実施態様では、ホスト・デバイス２０１が関連付けサブルーチン３１４を実施することもできる。例えば、ＮＦＣ接続を使用して、接続デバイス２０３は、ペアリング・サブルーチンを使用して周辺デバイス２０２の接続情報を取り出すことができる。接続デバイス２０３は、関連付けサブルーチン３１４に進まずに、再度ペアリング・サブルーチンを使用する。このペアリング・サブルーチンの２度目の反復中に、接続デバイス２０３は、周辺デバイス２０２の接続情報をホスト・デバイス２０１に対して送達して、ホスト・デバイス２０１が関連付けサブルーチン３１４を開始してホスト・デバイス２０１と周辺デバイス２０２との間にワイヤレス関連付けを形成することができるようにする。その結果として、接続デバイス２０３は、ワイヤレス関連付けを確立するためのサブルーチンを実行せず、代わりに、ホスト・デバイス２０１がワイヤレス関連付けを確立することができるように情報を送達する。他の実施態様では、ワイヤレス・ネットワークのサーバが関連付けサブルーチンを実施することもできる。
【００５８】
図４Ａ〜図４Ｃは、例えば診療所に設置された血液透析機械およびアクセサリ・デバイスの例示的なネットワークを示す図である。このネットワークは、診療所中の様々な物理的位置に、いくつかの接続された機械およびアクセサリを含む。図４Ａは、血液透析機械とアクセサリ・デバイスとを接続するワイヤレス・ネットワーク３６０を概略的に示す図である。図４Ｂは、それらのデバイス間のワイヤレス関連付けおよびＮＦＣ接続を概略的に示す図である。図４Ｃは、診療所中のデバイスの物理的位置を概略的に表す図である。
【００５９】
図４Ａを参照すると、血液透析機械１０２ａ〜１０２ｃ、スマートフォン３５２、接続デバイス２０３、キーボード１０１ａ〜１０１ｄ、および血圧カフ３５０ａ〜３５０ｂを含む様々なデバイスが、ワイヤレス・ネットワーク３６０に接続されている。接続された各デバイスは、そのデバイスをワイヤレス・ネットワーク３６０上で他のデバイスから区別する識別子（例えば一意なインターネット・プロトコル・アドレス）を有する。接続された各デバイスは、さらに、診療所におけるその使用を反映するラベル（例えばＨＯＳＴ、ＰＥＲＩＰＨＥＲＡＬ、ＣＯＮＮＥＣＴＯＲ）を有する。血液透析機械１０２ａ〜１０２ｃは、ＨＯＳＴラベルを有し、接続デバイス２０３は、ＣＯＮＮＥＣＴＯＲラベルを有し、キーボード１０１ａ〜１０１ｄおよび血圧カフ３５０ａ〜３５０ｂは、ＰＥＲＩＰＨＥＲＡＬラベルを有する。スマートフォン３５２は、ＰＥＲＩＰＨＥＲＡＬまたはＣＯＮＮＥＣＴＯＲのいずれかとしてラベルされる可能性がある。例えば、いくつかの場合には、スマートフォン３５２は、キーボード１０１ａ〜１０１ｄと同様の入力デバイスとして使用されることが可能であり、したがってＰＥＲＩＰＨＥＲＡＬラベルを有する。他の場合には、スマートフォン３５２は、接続デバイス２０３と同様の接続デバイスとして使用されることが可能であり、したがってＣＯＮＮＥＣＴＯＲラベルを有する。図４Ａ〜図４Ｃに表す例では、スマートフォン３５２は、ＰＥＲＩＰＨＥＲＡＬラベルを有している。これらのデバイスは、互いに基本ワイヤレス接続を有する。これらのデバイスは、したがって、ワイヤレス・ネットワーク３６０に接続された互いのデバイスの識別子およびラベルを決定することができる。
【００６０】
図４Ｂは、図４Ａのデバイスの間の接続のノード図を示している。図４Ｂは、ネットワーク中の破線で表されるワイヤレス関連付け３６５ａ〜３６５ｉ、および実線で表されるＮＦＣ接続３７０ａ〜３７０ｂを示している。ワイヤレス関連付け３６５ａ〜３６５ｉは、図４Ａのワイヤレス・ネットワーク３６０を介した関連付けを表している。これらの関連付けまたは接続は、図２〜図３を参照して上述したＮＦＣによって促進されるタップ・トゥ・アソシエイト方法を使用して形成されている。
【００６１】
血液透析機械１０２ａは、スマートフォン３５２、血圧カフ３５０ａ、およびキーボード１０１ａとそれぞれワイヤレス関連付け３６５ａ〜３６５ｃを形成している。血液透析機械１０２ａがＨＯＳＴラベルを有するので、スマートフォン３５２、カフ３５０ａ、およびキーボード１０１ａは、血液透析機械１０２ａのための入力デバイスとして働く。操作者が患者の血圧を検出するために使用することができる血圧カフ３５０ａは、血圧測定値を血液透析機械１０２ａに対して送達する。血液透析機械１０２ａは、（例えばタッチ画面１１８上で）血圧測定値を操作者に対して表示することができ、あるいは血圧測定値がしきい値血圧を超えて低下または上昇した場合には警報を起動することができる。上述のように、操作者は、タッチ画面１１８および制御パネル１２０を使用して、血液透析機械１０２ａの処置パラメータを変更することができる。操作者は、また、キーボード１０１ａを使用して、血液透析機械１０２ａの処置パラメータを制御することもできる。例えば、操作者がキーボード１０１ａに対して数字をタイピングし、血液透析１０２ａのタッチ画面が、キーボード１０１ａのその入力を表示する。操作者は、キーボード１０１ａを使用して、流量などのパラメータを変更する、または停止コマンドおよび始動コマンドを発行することができる。血液透析機械１０２は、また、スマートフォン３５２に対して入力許可を付与して、操作者がスマートフォン３５２を使用して血液透析機械１０２ａに対してコマンドを発行することができるようにしている。
【００６２】
血圧カフ３５０ａは、さらに、ワイヤレス関連付け３６５ｄを使用してキーボード１０１ｂに対して接続されている。血圧カフ３５０ａおよびキーボード１０１ｂは両方ともＰＥＲＩＰＨＥＲＡＬデバイスであるので、操作者は、（例えば上述のように接続デバイスを使用して）どのデバイスが他のデバイスのための入力デバイスとして働くかを選択する。この例では、操作者は、キーボード１０１ｂを、血圧カフ３５０ａのための入力デバイスとして働くものとして選んでいる。その結果として、キーボード１０１ｂは、血圧カフ３５０ａの動作を制御する。操作者は、キーボード１０１ｂを使用して、血圧カフ３５０ａを始動または停止する、またはこの血圧カフに他の機能を実行する（例えば別のデバイスに対してデータを送る、１０分ごとに定期的に圧力を感知するなど）ように命令することができる。
【００６３】
スマートフォン３５２は、血液透析機械１０２ａとのワイヤレス関連付け３６５ａに加えて、血液透析機械１０２ｂとのワイヤレス関連付け３６５ｅを有する。その結果として、スマートフォン３５２は、機械１０２ａ〜１０２ｂの両方のための入力デバイスとして働くことができる。操作者は、スマートフォン３５２を使用して、機械１０２ａ〜１０２ｂの両方を同時に制御することができる。例えば、（例えば地震あるいは攻撃または別の緊急の状況により）機械１０２ａ〜１０２ｂの両方が同時に停止される必要がある場合には、操作者は、機械１０２ａ〜１０２ｂの両方に関連付けられたスマートフォン３５２を使用して、両方の機械を停止することができる。スマートフォン３５２は、また、各機械１０２ａ〜１０２ｂを個別に制御するために使用されることも可能である。操作者は、ユーザ・インタフェース（例えばそのスマートフォンのタッチ画面）を使用して血液透析機械１０２ａを制御することと、血液透析機械１０２ａのタッチ画面１１８および制御パネル１２０を含み得るユーザ・インタフェースを使用して血液透析機械１０２ｂを制御することとの間で切り換えることができる。ユーザ・アプリケーションがスマートフォン３５
２に対してロードされて、上述の機能を促進することも可能である。
【００６４】
血液透析機械１０２ｂは、血圧カフ３５０ｂとのワイヤレス関連付け３６５ｆ（血圧カフ３５０ａと血液透析機械１０２ａとの間のワイヤレス関連付け３６５ｂと同様の機能を備える）、およびキーボード１０１ｃとのワイヤレス関連付け３６５ｇも有する。キーボード１０１ｃは、２つのワイヤレス関連付け、すなわちワイヤレス関連付け３６５ｇおよびワイヤレス関連付け３６５ｈを有する。キーボード１０１ｃは、血液透析機械１０２ｂおよび血圧カフ３５０ｂの両方のための入力デバイスとして働く。操作者は、いくつかの例では、キーボード１０１ｂ上の切替キーを押下することによって、血液透析機械１０２ｂに対してコマンドを送達することと血圧カフ３５０ｂに対してコマンドを送達することとを切り替えることができる。
【００６５】
ワイヤレス関連付け３６５ｉは、血液透析機械１０２ｃを、血液透析機械１０２ｃのための入力デバイスとして働くキーボード１０１ｄに対して接続する。血液透析機械１０２ｃは、さらに、接続デバイス２０３とのＮＦＣ接続３７０ｂを形成している。接続デバイス２０３は、２つのＮＦＣ接続、すなわちスマートフォン３５２とのＮＦＣ接続３７０ａ、および血液透析機械１０２ｃとのＮＦＣ接続３７０ｂを形成するために使用されることが可能である。その結果として、接続デバイス２０３は、スマートフォン３５２と血液透析機械１０２ｃとの識別子およびラベルを有する。接続デバイス２０３は、スマートフォン３５２と血液透析機械１０２ｃとの間のワイヤレス関連付けを形成して、スマートフォン３５２がこの例示的な診療所内に位置する全ての血液透析機械１０２ａ〜１０２ｃとのワイヤレス関連付けを有することができるようにするように準備されることが可能である。
【００６６】
図４Ｃは、図４Ａ〜図４Ｂに示す診療所内のデバイスの物理的位置を概略的に表す図である。ワイヤレス・ルータ３８２は、ワイヤレス有効範囲領域３８１を有する図４Ａのワイヤレス・ネットワーク３６０を作成する。ワイヤレス有効範囲領域３８１は、ワイヤレス・ルータ３８２の位置を中心としてワイヤレス範囲の半径３８５を有する円で表される。ワイヤレス有効範囲領域３８１内のデバイスは、ワイヤレス範囲３８１内の他のデバイスとの基本ワイヤレス接続を形成することができる。
【００６７】
各デバイスは、ＮＦＣトランシーバを有し、したがって、ＮＦＣ有効範囲領域を形成する。図４Ｃには、血液透析機械１０２ａの周りのＮＦＣ有効範囲領域３９０が示されているが、残りのデバイスもＮＦＣ有効範囲領域を形成することを理解されたい。ＮＦＣ有効範囲領域３９０は、血液透析機械１０２ａの位置を中心としてＮＦＣ範囲の半径３９５を有する円で定義される。ＮＦＣ有効範囲領域３９０内のデバイスは、一般に、血液透析機械１０２ａのＮＦＣ送信機から、血液透析機械１０２ａとのＮＦＣ接続を形成するのに十分に強い信号を検出することができる。図４Ｃに示すように、キーボード１０１ａは、ＮＦＣ有効範囲領域３９０の外部にある。いったん図４Ｂに戻ると、キーボード１０１ａは、血液透析機械１０２ａとのワイヤレス関連付け３６５ｃを形成しているので、キーボード１０１ａがＮＦＣ有効範囲領域３９０の外部にあっても、キーボード１０１ａは依然として血液透析機械１０２ａを制御するために使用されることが可能である。いったんワイヤレス関連付け３６５ｃが形成されると、操作者は、キーボード１０１ａを血液透析機械１０２ａのＮＦＣ有効範囲領域３９０の外部に移動させてもよく、血液透析機械１０２ａおよびキーボード１０１ａが両方とも依然としてワイヤレス有効範囲領域３８１内にあるので、ワイヤレス関連付け３６５ｃは損なわれずに残ることになる。
【００６８】
血圧カフ３５０ａおよびキーボード１０１ｂは両方ともＮＦＣ有効範囲領域３９０内にあり、したがって、両方とも血液透析機械１０２ａとＮＦＣ接続を形成することができる。血圧カフ３５０ａは、血液透析機械１０２ａから距離Ｄ１に位置し、キーボード１０１
ｂは、キーボード１０１ｂから距離Ｄ２に位置する。ＮＦＣ信号強度は、ソースからの距離の逆２乗に比例して減少する。距離Ｄ２は距離Ｄ１より大きいので、血圧カフ３５０ａからのＮＦＣ信号は、キーボード１０１ｂからのＮＦＣ信号より強い。血液透析機械１０２ａは、したがって、血圧カフ３５０ａがキーボード１０１ｂより近いと決定することができる。その結果として、操作者が血圧カフ３５０ａと血液透析機械１０２ａとのタップ・トゥ・アソシエイト・サブルーチンをトリガした場合に、血圧カフ３５０ａは、血液透析機械１０２ａとのワイヤレス関連付け（例えば図４Ｂのワイヤレス関連付け３６５ｂ）を形成することができる。
【００６９】
一般に、操作者は、操作者が第２の医療デバイスを使用して例えば動作を制御すること、または第１の医療デバイスに対してデータを提供することができるように、第１の医療デバイスと第２の医療デバイスとの間の接続を確立する。第１の医療デバイスは、例えば、血液透析機械とすることができる。第２の医療デバイスは、例えば、ワイヤレス・キーボードとすることができる。第１の医療デバイス、第２の医療デバイス、および接続デバイスは、第１の通信プロトコル（例えばＮＦＣ）を使用して医療デバイスを互いに接続する第１のネットワークに接続するための第１のトランシーバを備える。第１の医療デバイス、第２の医療デバイス、および接続デバイスは、第２の通信プロトコル（例えばＷＰＡ、ＷＰＡ２、ＷＥＰなど）を使用して医療デバイスを互いに接続する第２のネットワークに接続する第２のトランシーバをさらに備える。
【００７０】
図５は、第１の医療デバイスと第２の医療との間にワイヤレス接続を確立する流れ図５００を示している。工程Ｓ５１０で、短距離ワイヤレス技術プロトコルを介して、第２の医療デバイスに関係する接続情報が受信される。この接続情報は、第１の医療デバイスによって受信されることが可能である。いくつかの例では、短距離ワイヤレス技術プロトコルは、ＮＦＣプロトコルである。いくつかの例では、第１の医療デバイスは、血液透析機械であり、第２の医療デバイスは、その血液透析機械と対話するように構成されたワイヤレス・キーボードである。いくつかの例では、第１の医療デバイスは、最初に、短距離ワイヤレス技術プロトコルを介して、その短距離ワイヤレス技術プロトコル以外の通信プロトコルを使用してワイヤレス接続を確立する要求を受信する。このワイヤレス接続は、第１の医療デバイスと第２の医療デバイスとの間のものであることがある。この接続情報は、上記の短距離ワイヤレス技術プロトコル以外の通信プロトコルによって使用される情報を指定することができる。この要求を受信する前に、第２の医療デバイスが短距離ワイヤレス技術プロトコルを使用して第１の医療デバイスを検出するように、第１の医療デバイスが発見可能状態にされることが可能である。第１の医療デバイスが短距離ワイヤレス技術プロトコルを使用して第２の医療デバイスを検出するように、第２の医療デバイスも、発見可能状態にされることが可能である。第１の医療デバイスおよび第２の医療デバイスは、図２Ｂを参照して上述したサブルーチンを含むことができる。その結果として、第１の医療デバイスおよび第２の医療デバイスは、タップ・トゥ・アソシエイト・サブルーチンをトリガすることによって、発見可能状態にされることができる。タップ・トゥ・アソシエイト・サブルーチンをトリガすると、第２の医療デバイスは、ワイヤレス接続を確立する要求を第１の医療デバイスに対して送ることもできる。操作者が第１の通信プロトコルを使用して通信範囲内で一方または両方の医療デバイスを移動させることができるように、一方または両方の医療デバイスを移動可能とすることもできる。操作者は、第１の医療デバイスに対してその要求を受け入れるように命令し、次いで、第１の医療デバイスが、短距離ワイヤレス技術プロトコルを使用して第２の医療デバイスに関係する接続情報を受信する。第１の医療デバイスは、短距離ワイヤレス技術プロトコルを介して、第１の医療デバイスに関係する接続情報を第２の医療デバイスに対して送ることもできる。各デバイスについての接続情報は、そのデバイスの識別子およびラベルを含み得る。第１の医療デバイスと第２の医療デバイスとの間の接続情報の転送は、図２Ｂを参照して説明したペアリング・サブルーチンの一部として行うことができる。
【００７１】
工程Ｓ５２０で、第１の医療デバイスと第２の医療デバイスとの間にワイヤレス接続が確立される。いくつかの例では、第１の医療デバイスが、ワイヤレス接続を確立する。図２Ｂを参照して説明した関連付けサブルーチンに戻ると、第１の医療デバイスは、第１の医療デバイスの一意な識別子と第２の医療デバイスの一意な識別子とを、ワイヤレス・ネットワークのノードとして使用することができる。第１の医療デバイスおよび第２の医療デバイスのラベルは、第１の医療デバイスと第２の医療デバイスとの間に確立されるワイヤレス接続のタイプを決定することができる。上記の工程から、この通信プロトコルに関連付けられた接続情報は、短距離ワイヤレス技術プロトコルを介して送信され得ることを理解されたい。次いで、接続情報が使用されて、通信プロトコルを使用して永続的なワイヤレス接続を確立することができる。
【００７２】
図６Ａ〜図６Ｂは、接続デバイスを使用した第１の医療デバイスと第２の医療デバイスとの間の、上述したワイヤレス関連付けなどの接続の確立の流れ図６００Ａ〜６００Ｂである。図６Ａの流れ図６００Ａでは、接続デバイスが、第１の医療デバイスと第２の医療デバイスとの間のワイヤレス接続を確立する。
【００７３】
工程Ｓ６１０Ａで、接続デバイスは、第１の通信プロトコルを介して、第１の医療デバイスに関係する接続情報を受信する。いくつかの例では、第１の通信プロトコルは、ＮＦＣプロトコルである。いくつかの例では、第１の医療デバイスは、血液透析機械であり、第２の医療デバイスは、血液透析機械と対話するように構成されたワイヤレス・キーボードであり、接続デバイスは、スマートフォンまたはワンドである。
【００７４】
工程Ｓ６２０Ａで、接続デバイスは、第１の通信プロトコルを介して、第２の医療デバイスに関係する接続情報を受信する。操作者は、接続デバイス上で、第１の医療デバイスおよび第２の医療デバイスのそれぞれとのタップ・トゥ・アソシエイト・サブルーチンをトリガすることができる。その結果として、接続デバイスは、ペアリング・サブルーチンを実行することができ、第１の医療デバイスおよび第２の医療デバイスの両方から接続情報を受信することができる。
【００７５】
工程Ｓ６３０Ａで、接続デバイスは、第１の医療デバイスと第２の医療デバイスとの間に第２の通信プロトコルによる接続を確立する。接続デバイスは、関連付けサブルーチンを実施し、この関連付けサブルーチンは、工程Ｓ６１０Ａおよび工程Ｓ６２０Ａで受信された接続情報を使用して、第１の医療デバイスと第２の医療デバイスとの間に接続を確立し、第１の医療デバイスと第２の医療デバイスとの間に形成された接続のタイプを決定する。いくつかの例では、第２の通信プロトコルは、ＷＥＰ、ＷＰＡ、またはＷＰＡ２などのワイヤレス・プロトコルである。
【００７６】
図６Ｂの流れ図６００Ｂは、接続デバイスを使用して第１の医療デバイスと第２の医療デバイスとの間にワイヤレス接続を確立する代替の実施態様を示している。接続デバイスは、第１の医療デバイスの接続情報を提供して、例えば第１の医療デバイスと第２の医療デバイスとの間にワイヤレス接続を確立する。
【００７７】
工程Ｓ６１０Ｂで、接続デバイスは、通信プロトコルを介して、第１の医療デバイスに関係する接続情報を受信する。接続デバイスは、ペアリング・サブルーチンの１度目の反復を実行することができ、この医療デバイスから接続情報を受信する。
【００７８】
工程Ｓ６２０Ｂで、接続デバイスは、該通信プロトコルを介して、該接続情報を提供する。接続デバイスは、この接続情報を第２の医療デバイスに対して提供して、ワイヤレス接続を確立することができる。接続デバイスは、また、ワイヤレス接続を形成した際に用
いたワイヤレス・ネットワークのサーバに対してこの接続情報を提供することもできる。接続デバイスは、ペアリング・サブルーチンの２度目の反復を実行することができ、以前に受信された接続情報を第２の医療デバイスに対して送る。第２の医療デバイスは、次いで、関連付けサブルーチンを実施して、第１の医療デバイスと第２の医療デバイスとの間にワイヤレス接続を確立することができる。
【００７９】
図７は、透析機械と透析機械アクセサリとの間にワイヤレス接続を確立する流れ図７００である。
工程Ｓ７１０で、透析機械アクセサリに関連付けられているワイヤレス識別子が受信される。いくつかの例では、透析機械が、そのワイヤレス識別子を受信する。そのワイヤレス識別子は、第１のワイヤレス通信プロトコルに従って接続デバイスによって通信されることが可能である。そのワイヤレス識別子は、第１のワイヤレス通信プロトコル以外の第２のワイヤレス通信プロトコルに関連付けられることが可能である。いくつかの例では、第１のワイヤレス通信プロトコルは、ＮＦＣプロトコルであり、第２のワイヤレス通信プロトコルは、ＷＰＡ、ＷＰＡ２、またはＷＥＰである。
【００８０】
工程Ｓ７２０で、透析機械アクセサリに関連付けられているワイヤレス識別子を使用して、ワイヤレス接続が確立される。いくつかの例では、透析機械が、ワイヤレス接続を確立する。他の例では、透析機械アクセサリが、ワイヤレス接続を確立する。そのワイヤレス接続は、第２のワイヤレス通信プロトコルを使用して確立されることが可能である。
【００８１】
工程Ｓ７３０で、その透析機械アクセサリとの通信が可能となる。いくつかの例では、透析機械が透析機械アクセサリと通信し、いくつかの例では、透析機械アクセサリが透析機械と通信し、他の例では、透析機械と透析機械アクセサリとの間で２方向通信が行われる。医療データが、例えばワイヤレス接続を使用して、透析機械と透析機械アクセサリとの間で通信されることが可能である。
【００８２】
特定の実施態様について説明したが、他の実施態様も可能である。
デバイス２００の例示的な通信システム２０１を示す図２Ａのブロック図では、通信システム２０１はワイヤレス・トランシーバ３０３、ＮＦＣトランシーバ３０５、ユーザ・インタフェース３０８、メモリ記憶素子３０９、およびセンサ・システム３１５を含むものとして説明した。代替の実施態様では、このデバイスは、ワイヤレス・トランシーバ、ＮＦＣトランシーバ、ユーザ・インタフェース、メモリ記憶素子、およびセンサ・システムのうちの１つまたは複数を含まない。例えば、いくつかの実施態様では、このデバイスは、ユーザ・インタフェースを有さないが、依然として本願で説明するサブルーチンおよび方法と共に使用されることが可能である。他の例では、このデバイスは、ワイヤレス・トランシーバとＮＦＣトランシーバとの両方は有さない。このデバイスは、ワイヤレス・トランシーバのみを含み、このワイヤレス・トランシーバを使用して、他のデバイスとペアリングし、他のデバイスとのワイヤレス関連付けを形成することができる。センサ・システムは、通信システム内の任意選択のシステムである。
【００８３】
図２Ａはデバイス２００が識別子およびラベルを有するものとして示しているが、いくつかの実施態様では、デバイスは識別子しか有していないこともある。そのような実施態様では、２つのデバイスの間に関連付けが形成されているときに、操作者は、いずれかのデバイスのユーザ・インタフェース上で、どのデバイスがホスト・デバイスとして働き、どのデバイスが周辺デバイスとして働くかを示すことができる。
【００８４】
図２Ａのデバイス２００の通信システム２０１は、本明細書ではデバイス（例えば血液透析機械、キーボード、接続デバイス、血圧カフなど）のための汎用的な通信システムとして説明したが、いくつかの実施態様では、デバイスの通信システムは、説明したサブシ
ステムおよびハードウェアのサブセットのみを含む。いくつかのデバイスは、説明したサブルーチンのサブセットのみを含むことができる。例えば、いくつかの実施態様では、ＨＯＳＴラベルを備えたデバイスのみが、関連付けサブルーチンを有する。その結果として、接続情報は、ＨＯＳＴラベルを備えたデバイスに対してのみ送達され、したがって、ホスト・デバイスが、デバイス間のワイヤレス関連付けを形成する。接続デバイスおよび周辺デバイスは、ホスト・デバイスに対して情報を送達するのを支援する。
【００８５】
デバイス２００のラベル３１９は、ＨＯＳＴ、ＰＥＲＩＰＨＥＲＡＬ、またはＣＯＮＮＥＣＴＯＲのうちの１つであるものとして説明したが、いくつかの実施態様では、デバイスをさらに分類するために、追加のラベルが使用されることが可能である。例えば、ＰＥＲＩＰＨＥＲＡＬラベルは、ＩＮＰＵＴ、ＯＵＴＰＵＴ、またはＳＥＮＳＯＲなど、ＰＥＲＩＰＨＥＲＡＬデバイスの詳細な機能を表すサブラベルを含むことができる。
【００８６】
周辺デバイス２０２は、ホスト・デバイス２０１のための入力デバイスとして働くものとして説明したが、他の実施態様では、周辺デバイスは、他の機能をも果たす。例えば、周辺デバイスは、血液透析機械によってトリガされる警報および警告を増幅する外部スピーカとすることができる。周辺デバイスは、そのような例では、出力デバイスである。周辺デバイスは、また、薬物バイアルまたは塩溶液容器などの処置アクセサリとすることもできる。例えば、塩溶液容器は、容器内の塩溶液の伝導度を監視するセンサを備えた可撓性バッグとすることができる。その容器は、その容器が伝導度センサ・データを血液透析機械に対して送信するように、血液透析機械とペアリングされることが可能である。周辺デバイスは、透析処置に関係する周辺デバイスの中でも特に、遠隔制御装置、ラップトップ、デスクトップ、聴診器、温度計、および生理食塩水容器を含み得る。
【００８７】
図２Ｂを参照して説明したタップ・トゥ・アソシエイト・サブルーチンを参照すると、操作者が第１のデバイスで第２のデバイスを叩いたときに、両方のデバイスのタップ・トゥ・アソシエイト・サブルーチンがトリガされて、ペアリングする要求が両方のデバイスに対して送られるようにすることができる。いくつかの実施態様では、ペアリングを開始するために、この要求が両方のデバイスで受け入れられる。他の実施態様では、ペアリングを開始するために、この要求は、それらのデバイスのうちの少なくとも一方で受け入れられる。
【００８８】
図２Ｂのペアリング・サブルーチン３１３を参照すると、操作者は、第２のデバイスを使用してデバイス２００によって送られた要求を手動で受け入れるものとして説明されている。他の実施態様では、操作者は、デフォルトのペアリング・サブルーチン設定を、手動モードまたは自動モードに修正することができる。手動モードでは、上述のように、操作者は、第２のデバイスを手動で操作して、デバイスどうしをペアリングする要求を受け入れる。自動モードでは、操作者がデバイス２００を操作するだけでＮＦＣ接続を形成するように、第２のデバイスは、ＮＦＣ接続を形成する要求を自動的に受け入れることができる。この要求は、第１のデバイスと第２のデバイスとの間にＮＦＣ接続を確立する要求としても説明されている。この要求は、ワイヤレス関連付けを確立するプロセスを開始する要求を表すこともある。したがって、この要求を受け入れれば、ＮＦＣ接続を形成する許可を両方のデバイスに対して付与し、ワイヤレス接続情報を互いに対して送信し、ワイヤレス関連付けを確立することになる。
【００８９】
ペアリング・サブルーチンを使用して送信され記憶される情報は、デバイスのラベルに関わらず同じであるものとして説明したが、いくつかの実施態様では、ペアリング・サブルーチンに関わるデバイスのうちの１つがＣＯＮＮＥＣＴＯＲラベルを有する場合には、ＣＯＮＮＥＣＴＯＲラベルを備えたデバイスのみが、それがペアリングされる相手のデバイスの接続または識別情報を記憶する。ＣＯＮＮＥＣＴＯＲラベルを有していないデバイ
スは、接続情報を使用しないので、このような実施態様は、デバイスに記憶される未使用のデータの量を減少させる。
【００９０】
タップ・トゥ・アソシエイト・サブルーチンをトリガすると発見サブルーチンおよびペアリング・サブルーチンを開始することになると説明したが、いくつかの実施態様では、タップ・トゥ・アソシエイト・サブルーチンは、ペアリング・サブルーチンのみを開始する。操作者は、タップ・トゥ・アソシエイト・サブルーチンをトリガする前に、手動で発見サブルーチンを開始することがある。いくつかの実施態様では、サブルーチンは、タップ・トゥ・アソシエイト・サブルーチンを含まないこともある。操作者は、例えばデバイス上のユーザ・インタフェースを使用して、手動で発見サブルーチンおよびペアリング・サブルーチンをトリガすることができる。あるいは、発見サブルーチンは、デフォルトで自動的に実行していて、そのデバイスにペアリングする相手となる付近のデバイスを探索させることができる。そのような実施態様では、そのデバイスは、イネーブルとされたＮＦＣトランシーバを備える付近のデバイスのスキャンを常に行っていることができる。
【００９１】
ペアリング・サブルーチンを参照すると、操作者が１つのデバイス上でペアリングする要求を受け入れるものとして説明しているが、いくつかの実施態様では、ペアリング・サブルーチンを開始するために、ペアリングする要求が両方のデバイス上で受け入れられる。
【００９２】
再度図３Ａ〜図３Ｂを参照すると、いくつかの実施態様では、ペアリングは、ペアリング・サブルーチンの一部として自動的にデバイス間で起きるのではないことがある。むしろ、ペアリングする要求が、ペアリングを確立する前に最初に送られる。例えば、図３Ａを参照して、ペアリング・サブルーチンは、周辺デバイス２０２に、ホスト・デバイス２０１とペアリングする要求を送らせることができる。操作者は、ホスト・デバイス２０１に対して、周辺デバイス２０２からのペアリング要求を受け入れるように命令して、ＮＦＣ接続３０４が周辺デバイス２０２とホスト・デバイス２０１との間に確立されるように促す必要があることがある。操作者は、ホスト・デバイス２０１に対して、例えばホスト・デバイス２０１上または周辺デバイス２０２上のユーザ・インタフェースを使用してこの要求を受け入れるように命令することができる。
【００９３】
図３Ｂの例を参照すると、接続デバイス２０３は、キーボード１０１と血液透析機械１０２との間に形成するワイヤレス関連付け３１０のタイプをラベル３１９ａ、３１９ｃに基づいて決定するものとして説明しているが、いくつかの実施態様では、接続デバイスは、キーボードおよび血液透析機械から許可を受信して、各デバイスに対して識別子およびラベルを送達する。そのキーボードおよび／または血液透析機械は、次いで、それらの識別子にリンクされたデバイスを要求し、ワイヤレス関連付けのタイプをそれらのラベルに基づいて決定する。例えば、いくつかの実施態様では、接続デバイスは、ワイヤレス・トランシーバを有していないことがある。その結果として、第１のデバイスと第２のデバイスとの間でワイヤレス関連付けを開始するために、接続デバイスは、第１のデバイスから識別子を受信し、次いで、この識別子を第２のデバイスに送達する。次いで、第２のデバイスが、その識別子に関連付けられたデバイス（すなわち第１のデバイス）とのワイヤレス関連付けを形成するように要求する。
【００９４】
図３Ｂを参照すると、いくつかの実施態様では、接続デバイス２０３がユニバーサル・シリアル・バス（ＵＳＢ）ポートを通してデバイスと接続することができるように、接続デバイスは、ＵＳＢコネクタをさらに含むことができる。
【００９５】
タップ・トゥ・アソシエイト・サブルーチンは、センサ・システムによって感知された加速度を使用して、叩く動きが起こったかどうかを判定するものとして説明しているが、
いくつかの実施態様では、操作者がそのサブルーチンを物理的にトリガすることを可能にするセンサ・システムの他のセンサが使用されることも可能である。例えば、そのセンサは、操作者が２つのデバイスを関連付けるときに作動する押しボタンで置換されることも可能である。そのセンサは、また、圧力センサ、歪みセンサ、または操作者が手動で容易に生成することができる物理的現象に対して反応するその他のセンサで置換されることも可能である。いくつかの実施態様では、センサ・システムは、高周波数ＲＦＩＤ（無線周波数識別）タグおよび対応するＲＦＩＤ検出器を含む。ＲＦＩＤタグと検出器とを備えた２つのデバイスが互いに接近すると、タップ・トゥ・アソシエイト・サブルーチンがトリガされる。タップ・トゥ・アソシエイト・サブルーチンは自動的に実行しているものとして説明したが、操作者は、操作者が手動でデバイスのタップ・トゥ・アソシエイト・サブルーチンを開始するように、デフォルト設定を設定することができる。その結果として、操作者は、例えば、タップ・トゥ・アソシエイト・サブルーチンを意図せずにトリガすることなく、部屋中でデバイスを移動させることができる。いくつかの例では、第１のデバイスが、第２のデバイスに対する物理的接触を生じることによって、タップ・トゥ・アソシエイト・サブルーチンをトリガする。
【００９６】
図３ＡではＮＦＣ接続３０４が損なわれていないものとして示され、図３ＢではＮＦＣ接続３０４ａ〜３０４ｂが損なわれていないものとして示されているが、いくつかの実施態様では、デバイスは、ホスト・デバイスと周辺デバイスとの間にワイヤレス関連付けを形成した後でＮＦＣ接続を切断することができる。他の実施態様では、接続デバイスは、ユーザが接続デバイスに対して接続を中断するように命令するまで、ＮＦＣ接続を維持する。
【００９７】
接続デバイス２０３は２つのデバイスの間に接続を確立するものとして説明したが、いくつかの実施態様では、接続デバイスは、２つを超えるデバイスと接続を確立するために使用されることも可能であることを理解されたい。例えば、接続デバイスは、３つのデバイスと接続し、この３つのデバイス全ての間に接続を確立することができる。接続デバイス２０３は、２つを超えるデバイスの間にワイヤレス関連付けを作成するために使用されることも可能である。例えば、操作者は、ＨＯＳＴまたはＰＥＲＩＰＨＥＲＡＬラベルを有する３つ以上の他のデバイスによって、接続デバイス２０３のタップ・トゥ・アソシエイト・サブルーチンをトリガすることができる。接続デバイス２０３は、したがって、３つ以上のデバイスから接続情報を受信する。操作者は、次いで、接続デバイス２０３に対して、この３つ以上のデバイスの間にワイヤレス関連付けを形成するように命令することができる。それらのラベルに基づいて、関連付けサブルーチンは、それらのワイヤレス関連付けを介して付与された許可を自動的に選択することができる。他の実施態様では、操作者は、接続デバイス２０３のユーザ・インタフェースを使用して、各ワイヤレス関連付けによって付与された許可を手動で選択することができる。
【００９８】
図４Ａを参照すると、識別子はＩＰアドレスとして説明したが、いくつかの実施態様では、識別子は、デバイス名、通し番号、またはその他のワイヤレス・ネットワークを通して決定され得る識別情報とすることができる。図４Ａ〜図４Ｃを参照すると、血液透析機械１０２ａ〜１０２ｃなどのＨＯＳＴデバイスは１つ、２つ、または３つのＰＥＲＩＰＨＥＲＡＬデバイスとのワイヤレス関連付けを有するものとして説明したが、ＨＯＳＴデバイスは、３つを超えるＰＥＲＩＰＨＥＲＡＬデバイスとのワイヤレス関連付けを受け入れることもできることを理解されたい。さらに、ＰＥＲＩＰＨＥＲＡＬデバイスは、２つ以上のデバイスとのワイヤレス関連付けを有することができる。例えば、第１のＰＥＲＩＰＨＥＲＡＬデバイスは、２つのＨＯＳＴデバイスのための入力デバイスとして働くことができる。第１のＰＥＲＩＰＨＥＲＡＬデバイスは、２つの追加のＰＥＲＩＰＨＥＲＡＬデバイスのための入力デバイスとして働くことができる。第２のＰＥＲＩＰＨＥＲＡＬデバイスは、第１のＰＥＲＩＰＨＥＲＡＬデバイスのための入力デバイスとして働くことがで
きる。
【００９９】
再び図４Ｂを参照すると、血圧カフ３５０ａは、キーボード１０１ｂに対して接続されるものとして説明されている。いくつかの実施態様では、血圧カフおよびキーボードなどのＰＥＲＩＰＨＥＲＡＬデバイスは、優先度ランクを有することができる。ワイヤレス関連付けが２つのＰＥＲＩＰＨＥＲＡＬデバイスの間に形成されている場合には、より高い優先度ランクを備えたデバイスが他方のデバイスに対して許可を付与して、該他方のデバイスが入力として働くことができるようにする。２つのＰＥＲＩＰＨＥＲＡＬデバイスが同じ優先度ランクを有する場合には、ユーザが、それらのデバイスのうちの一方のユーザ・インタフェースを介して、またはスマート・フォンなど別のデバイスのユーザ・インタフェース上で、それらのデバイスに対して命令を指示することができる。
【０１００】
本発明のいくつかの実施形態について説明した。しかしながら、本発明の精神および範囲を逸脱することなく、様々な修正が加えられ得ることを理解されたい。したがって、他の実施形態も、後記の特許請求の範囲の範囲内である。
【０１０１】
制御装置は１つのみ説明したが、別法として、複数の制御装置が使用されることもある。
本明細書に記載される主題および動作の実施態様は、デジタル電子回路、または本明細書に開示される構造およびそれらの構造的均等物などのコンピュータ・ソフトウェア、ファームウェア、もしくはハードウェア、あるいはそれらのうちの１つまたは複数の組合せで実施されることが可能である。本明細書に記載される主題の実施態様は、コンピュータ記憶媒体に符号化されて、データ処理装置によって実行される、またはデータ処理装置の動作を制御する、１つまたは複数のコンピュータ・プログラムとして、すなわちコンピュータ・プログラム命令の１つまたは複数のモジュールとして実施されることが可能である。別法として、またはこれに加えて、プログラム命令は、適当な受信機装置に対して送信されてデータ処理装置によって実行される情報を符号化するために生成される、例えば機械によって生成された電気信号、光信号、または電磁信号など、人工的に生成された伝搬信号上に符号化されることも可能である。コンピュータ記憶媒体は、コンピュータ可読記憶デバイス、コンピュータ可読記憶基板、ランダム・アクセス・メモリ・アレイもしくはデバイスまたはシリアル・アクセス・メモリ・アレイもしくはデバイス、あるいはそれらのうちの１つまたは複数についての組合せとすることができる、またはそれらに含まれることが可能である。さらに、コンピュータ記憶媒体は伝搬信号ではないが、コンピュータ記憶媒体は、人工的に生成された伝搬信号に符号化されたコンピュータ・プログラム命令のソースまたは宛先とすることができる。コンピュータ記憶媒体は、また、１つまたは複数の分離した物理的コンポーネントまたは媒体（例えば複数のＣＤ、ディスク、またはその他の記憶デバイス）とすることもできる、またはそれらに含まれることも可能である。
【０１０２】
本明細書に記載される動作は、１つまたは複数のコンピュータ可読記憶デバイスに記憶されたデータ、あるいは他のソースから受信されたデータに対してデータ処理装置によって実行される動作として実施されることが可能である。
【０１０３】
「データ処理装置」という用語は、例えばプログラマブル・プロセッサ、コンピュータ、システム・オン・チップ、あるいはそれらのうちの複数、またはそれらの組合せなど、データを処理するための全ての種類の装置、デバイス、および機械を包含する。この装置は、例えばＦＰＧＡ（フィールド・プログラマブル・ゲート・アレイ）またはＡＳＩＣ（特定用途向け集積回路）などの特殊目的論理回路を含み得る。この装置は、ハードウェアに加えて、当該のコンピュータ・プログラムのための実行環境を作成するコード、例えばプロセッサ・ファームウェア、プロトコル・スタック、データベース管理システム、オペレーティング・システム、クロスプラットフォーム実行時環境、仮想機械、またはそれら
のうちの１つまたは複数についての組合せを構成するコードも含み得る。この装置および実行環境は、ウェブ・サービス、分散型コンピューティングおよびグリッド・コンピューティング・インフラストラクチャなど、様々な異なるコンピューティング・モデル・インフラストラクチャを実現することができる。
【０１０４】
コンピュータ・プログラム（プログラム、ソフトウェア、ソフトウェア・アプリケーション、スクリプト、またはコードとしても知られる）は、コンパイラ型言語またはインタプリタ型言語、宣言型言語または手続き型言語など、任意の形態のプログラミング言語で書かれることが可能であり、独立プログラムとして、またはコンピューティング環境内での使用に適したモジュール、コンポーネント、サブルーチン、オブジェクト、もしくはその他のユニットとしてなど、任意の形態で配備されることが可能である。コンピュータ・プログラムは、ファイル・システム内のファイルに対応することもあるが、そうであることが必要であるわけではない。プログラムは、他のプログラムまたはデータ（例えば、マークアップ言語ドキュメントに記憶された１つまたは複数のスクリプト）を保持するファイルの一部分、当該のプログラムの専用の単一のファイル、あるいは複数の連携ファイル（例えば、コードの１つまたは複数のモジュール、サブプログラム、または部分を記憶する複数のファイル）に記憶されることが可能である。コンピュータ・プログラムは、１つのコンピュータ上で実行されるように配備されることも、あるいは１つのサイトに位置する、または複数のサイトに分散して通信ネットワークによって相互接続された複数のコンピュータ上で実行されるように配備されることも可能である。
【０１０５】
本明細書に記載されるプロセスおよび論理の流れは、１つまたは複数のコンピュータ・プログラムを実行して、入力データに対して操作を行って出力を生成することによってアクションを実行する、１つまたは複数のプログラマブル・プロセッサによって実行されることが可能である。これらのプロセスおよび論理の流れは、また、例えばＦＰＧＡ（フィールド・プログラマブル・ゲート・アレイ）またはＡＳＩＣ（特定用途向け集積回路）などの特殊目的論理回路によって実行されることも可能であり、装置は、そのような特殊目的論理回路によって実施されることも可能である。
【０１０６】
コンピュータ・プログラムの実行に適したプロセッサは、例えば、汎用マイクロプロセッサおよび特殊目的マイクロプロセッサの両方、ならびに任意の種類のデジタル・コンピュータの任意の１つまたは複数のプロセッサを含む。一般に、プロセッサは、読み取り専用メモリまたはランダム・アクセス・メモリあるいはその両方から命令およびデータを受信することになる。コンピュータの基本要素は、命令に従ってアクションを実行するプロセッサ、ならびに命令およびデータを記憶する１つまたは複数のメモリ・デバイスである。一般に、コンピュータは、例えば磁気ディスク、光磁気ディスク、または光ディスクなど、データを記憶する１つまたは複数の大量記憶デバイスを含むか、そのような大量記憶デバイスからデータを受信する、もしくはそれらにデータを転送するように動作可能に結合されるか、またはその両方である。ただし、コンピュータは、このようなデバイスを有することが必要であるわけではない。さらに、コンピュータは、いくつか例を挙げれば、例えば携帯電話、携帯情報端末（ＰＤＡ）、モバイル・オーディオまたはビデオ・プレイヤ、ゲーム・コンソール、全地球測位システム（ＧＰＳ）受信機、または携帯型記憶デバイス（例えばユニバーサル・シリアル・バス（ＵＳＢ）フラッシュ・ドライブ）など、別のデバイスに埋め込まれることも可能である。コンピュータ・プログラム命令およびデータを記憶するのに適したデバイスは、例として、例えばＥＰＲＯＭ、ＥＥＰＲＯＭ、およびフラッシュ・メモリ・デバイスなどの半導体メモリ・デバイス、例えば内蔵ハード・ディスクまたは取外し可能ディスクなどの磁気ディスク、光磁気ディスク、ＣＤ−ＲＯＭおよびＤＶＤ−ＲＯＭディスクなど、全ての形態の不揮発性メモリ、媒体、およびメモリ・デバイスを含む。プロセッサおよびメモリは、特殊目的論理回路によって補足される、または特殊目的論理回路に組み込まれることが可能である。
【０１０７】
ユーザとの対話に備えるために、本明細書に記載される主題の実施態様は、ユーザに対して情報を表示するための、例えばＣＲＴ（陰極線管）またはＬＣＤ（液晶表示）モニタなどの表示デバイス（例えば透析機械１２の表示デバイス）、ならびにユーザがコンピュータに対して入力を提供することを可能にする、例えばマウスまたはトラックボールなどのキーボードもしくはキーパッドおよび／またはポインティング・デバイス上で実施されることが可能である。他の種類のデバイスが、ユーザとの対話に備えるために使用されることも可能である。例えば、ユーザに対して提供されるフィードバックは、例えば視覚的フィードバック、聴覚的フィードバック、または触覚的フィードバックなど、任意の形態の感覚的フィードバックとすることができ、ユーザからの入力は、音響、発話、または触覚的入力など、任意の形態で受信されることが可能である。
【０１０８】
他の実施態様も、後記の特許請求の範囲の範囲内である。
以下に、本願出願の当初の特許請求の範囲に記載された発明を付記する。
［１］  第１の医療デバイスと第２の医療デバイスとの間にワイヤレス接続を確立する工程を備える方法であって、前記工程は、
前記第１の医療デバイスが、短距離ワイヤレス技術プロトコルを介して、前記第２の医療デバイスに関係する接続情報を受信する工程と、
前記第１の医療デバイスが、前記接続情報に基づいて前記第２の医療デバイスとのワイヤレス接続を確立する工程と、を含む、方法。
［２］  前記ワイヤレス接続は、前記短距離ワイヤレス技術プロトコル以外の通信プロトコルを使用して確立され、前記接続情報は、前記短距離ワイヤレス技術プロトコル以外の前記通信プロトコルによって使用される情報を指定する、［１］に記載の方法。
［３］  接続デバイスが、前記短距離ワイヤレス技術プロトコルを介して、前記第２の医療デバイスに関係する前記接続情報を前記第２の医療デバイスから受信する工程と、
前記接続デバイスが、前記短距離ワイヤレス技術プロトコルを介して、前記第２の医療デバイスに関係する前記接続情報を前記第１の医療デバイスに対して提供する工程と、を備える、［１］乃至［２］のいずれか一項に記載の方法。
［４］  前記接続デバイスは、ワンドである、［３］に記載の方法。
［５］  前記接続デバイスは、スマートフォンである、［３］に記載の方法。
［６］  前記第２の医療デバイスが、前記短距離ワイヤレス技術プロトコルを介して、前記第１の医療デバイスに関係する接続情報を受信する工程、を備える、［１］乃至［５］のいずれか一項に記載の方法。
［７］  前記第１の医療デバイスが、前記第２の医療デバイスとのワイヤレス接続を確立する要求を送る工程、を備える、［１］乃至［６］のいずれか一項に記載の方法。
［８］  前記第１の医療デバイスおよび前記第２の医療デバイスは、前記第１の医療デバイスおよび前記第２の医療デバイスが前記短距離ワイヤレス技術プロトコルを介して通信するのに十分に近くにあるような十分な距離に、互いに対して配置されている、［１］乃至［７］のいずれか一項に記載の方法。
［９］  前記第１の医療デバイスは、前記第１の医療デバイスおよび前記第２の医療デバイスが互いに対する物理的接触を生じた結果として、前記第２の医療デバイスから前記接続情報を受信する、［１］乃至［８］のいずれか一項に記載の方法。
［１０］  前記第１の医療デバイスおよび前記第２の医療デバイスのうちの少なくとも一方は、前記物理的接触を検出するように構成されている加速度計を備える、［９］に記載の方法。
［１１］  前記短距離ワイヤレス技術プロトコルは、近距離無線通信（ＮＦＣ）プロトコルであり、前記第１の医療デバイスおよび前記第２の医療デバイスはそれぞれ、ＮＦＣを介して通信するように構成されているコンポーネントを備える、［１］乃至［１０］のいずれか一項に記載の方法。
［１２］  前記コンポーネントは、インダクタである、［１１］に記載の方法。
［１３］  前記第２の医療デバイスに関係する前記接続情報は、ワイヤレス識別子を含む、［１］乃至［１２］のいずれか一項に記載の方法。
［１４］  前記ワイヤレス識別子は、前記デバイスに一意である、［１３］に記載の方法。
［１５］  前記第１の医療デバイスは、前記第２の医療デバイスから電気的に隔離されている、［１］乃至［１４］のいずれか一項に記載の方法。
［１６］  前記第１の医療デバイスは、透析機械を含む、［１］乃至［１５］のいずれか一項に記載の方法。
［１７］  前記第２の医療デバイスは、透析機械と対話するように構成されているアクセサリを備える、［１］乃至［１６］のいずれか一項に記載の方法。
［１８］  前記第２の医療デバイスは、血圧カフを含む、［１］乃至［１７］のいずれか一項に記載の方法。
［１９］  前記ワイヤレス接続は、Ｂｌｕｅｔｏｏｔｈ（登録商標）接続を含む、［１］乃至［１８］のいずれか一項に記載の方法。
［２０］  透析機械と透析機械アクセサリとの間にワイヤレス接続を確立する工程であって、
前記透析機械が、前記透析機械アクセサリに関連付けられているワイヤレス識別子を受信する工程であって、前記ワイヤレス識別子は、第１のワイヤレス通信プロトコルに従って接続デバイスによって通信され、前記ワイヤレス識別子は、前記第１のワイヤレス通信プロトコル以外の第２のワイヤレス通信プロトコルに関連付けられている工程と、
前記透析機械アクセサリに関連付けられている前記ワイヤレス識別子を使用して、前記透析機械および前記透析機械アクセサリが、前記第２のワイヤレス通信プロトコルを使用してワイヤレス接続を確立する工程と、を含む、工程と、
前記第２のワイヤレス通信プロトコルを使用して前記透析機械と前記透析機械アクセサリとの間で医療データを通信する工程と、を備える、方法。
［２１］  医療デバイスを備えるシステムであって、
前記医療デバイスは、
短距離ワイヤレス技術プロトコルを介して医療デバイス・アクセサリに関係するワイヤレス識別子を受信するように構成されている短距離ワイヤレス技術プロトコル・アンテナと、
前記医療デバイス・アクセサリに関係する前記ワイヤレス識別子を使用して、前記短距離ワイヤレス技術プロトコル以外の通信プロトコルを介して前記医療デバイス・アクセサリとのワイヤレス接続を確立するように構成されているアンテナと、を備える、システム。
【図１】
0006602879.tif 000002
【図２Ａ】
0006602879.tif 000003
【図２Ｂ】
0006602879.tif 000004
【図３Ａ】
0006602879.tif 000005
【図３Ｂ】
0006602879.tif 000006
【図４Ａ】
0006602879.tif 000007
【図４Ｂ】
0006602879.tif 000008
【図４Ｃ】
0006602879.tif 000009
【図５】
0006602879.tif 000010
【図６Ａ】
0006602879.tif 000011
【図６Ｂ】
0006602879.tif 000012
【図７】
0006602879.tif 000013